(57)【要約】【課題】親注文の約定成立前であっても、親注文の次に発注すべきものとして顧客により予め決められていた子注文の発注処理を行う機能を、金融商品売買発注装置に設ける。【解決手段】サーバ１０は、親注文内容情報と親発注順序情報とを対応付けて記憶するとともに、子注文内容情報と子発注順序情報とを対応付けて記憶する記憶手段１００と、親注文の発注処理を行う発注手段１１０と、親注文の約定成立通知を受信する約定成立通知受信手段１２０と、親注文の約定成立通知に基づいて親注文に対応する子注文の発注処理を行う関連発注手段１３０と、親注文の約定成立通知が受信されるまで顧客からの子注文の強制発注指示を受け付ける強制発注受付手段１４０と、子注文の強制発注指示を受けた場合に子注文の発注処理を行う強制発注手段１５０とを有する。【選択図】図２
2007226342.tif 000002
【特許請求の範囲】
【請求項１】
顧客からの金融商品の売買注文を発注する処理を行う金融商品売買発注装置において、
第１の売買注文を識別するための第１の注文識別情報と、前記第１の売買注文の内容を示す第１の注文内容情報と、前記第１の売買注文の発注順序を示す第１の順序情報とを対応付けて記憶するとともに、前記第１の売買注文の約定が成立したときに発注すべきものとして前記顧客により予め決められた第２の売買注文を識別するための第２の注文識別情報と、前記第２の売買注文の内容を示す第２の注文内容情報と、前記第２の売買注文の発注順序を示す第２の順序情報であって前記第１の売買注文の発注順序に次ぐ順序を示す第２の順序情報とを対応付けて記憶する記憶手段と、
前記第１の売買注文の発注順序を示す前記第１の順序情報に対応付けて前記記憶手段に記憶されている前記第１の注文識別情報と前記第１の注文内容情報とを含む注文入力電文を証券取引所に送信することにより、前記第１の売買注文の発注処理を行う発注手段と、
前記第１の注文識別情報と前記第１の注文内容情報とを含む前記注文入力電文が前記発注手段から送信されることにより発注処理が行われた前記第１の売買注文についての約定が成立したことを示す約定成立通知であって前記第１の注文識別情報を含む約定成立通知を前記証券取引所から受信する約定成立通知受信手段と、
前記約定成立通知受信手段が受信した約定成立通知に含まれる前記第１の注文識別情報に対して前記記憶手段で対応付けされている前記第１の順序情報を検出し、当該第１の順序情報が示す発注順序に次ぐ順序を示す第２の順序情報に対応付けて前記記憶手段に記憶されている前記第２の注文識別情報と前記第２の注文内容情報とを含む注文入力電文を証券取引所に送信することにより、前記顧客により予め定められた前記第２の売買注文の発注処理を行う関連発注手段と、
前記約定成立通知受信手段により前記第１の注文識別情報を含む約定成立通知が受信されるまで、前記第２の注文識別情報を含む前記顧客からの前記第２の売買注文の発注指示を受け付ける強制発注受付手段と、
前記第２の注文識別情報を含む前記顧客からの前記第２の売買注文の発注指示を前記強制発注受付手段が受けた場合に、当該第２の注文識別情報と当該第２の注文識別情報に対応付けて前記記憶手段に記憶されている第２の注文内容情報とを含む注文入力電文を証券取引所に送信することにより、前記顧客から発注指示を受けた前記第２の売買注文の発注処理を行う強制発注手段と
を有することを特徴とする金融商品売買発注装置。
【請求項２】
前記記憶手段は、
前記第１の売買注文を識別するための第１の注文識別情報と、前記第１の売買注文の内容を示す第１の注文内容情報と、前記第１の売買注文の発注順序を示す第１の順序情報と、前記第１の売買注文の状況を示す第１の注文状況フラグであって未発注の状況を示す第１の注文状況フラグとを対応付けて記憶するとともに、
前記第２の売買注文を識別するための第２の注文識別情報と、前記第２の売買注文の内容を示す第２の注文内容情報と、前記第２の売買注文の発注順序を示す前記第２の順序情報とを対応付けて記憶し、
前記発注手段は、前記第１の注文識別情報と前記第１の注文内容情報とを含む前記注文入力電文を送信することにより前記第１の売買注文の発注処理を行った場合に、当該第１の注文識別情報に対応付けて前記記憶手段に記憶されている前記第１の注文状況フラグを未発注を示す情報から注文中を示す情報に更新し、
前記約定成立通知受信手段は、前記第１の注文識別情報を含む前記約定成立通知を受信した場合に、当該第１の注文識別情報に対応付けて前記記憶手段に記憶されている前記第１の注文状況フラグを注文中を示す情報から約定成立を示す情報に更新し、
前記強制発注受付手段は、
前記記憶手段に記憶されている前記第１の売買注文の内容を示す第１の注文内容情報と、前記第１の売買注文の発注順序を示す第１の順序情報と、前記第１の売買注文の状況を示す第１の注文状況フラグと、前記第２の売買注文を識別するための第２の注文識別情報と、前記第２の売買注文の内容を示す第２の注文内容情報と、前記第２の売買注文の発注順序を示す前記第２の順序情報とを前記顧客の端末に送信し、
前記記憶手段に記憶されている前記第１の売買注文の内容を示す第１の注文内容情報と、前記第１の売買注文の発注順序を示す第１の順序情報と、前記第１の売買注文の状況を示す第１の注文状況フラグとを対応付けて前記顧客の端末の表示画面に表示するとともに、前記記憶手段に記憶されている前記第２の売買注文の内容を示す第２の注文内容情報と、前記第２の売買注文の発注順序を示す前記第２の順序情報とを対応付けて前記表示画面に表示し、さらに、
前記第１の注文状況フラグが未発注又は注文中を示す情報である場合に、前記第２の注文識別情報を含む前記顧客からの前記第２の売買注文の発注指示を受け付けるための強制発注受付用ボタンを前記表示画面に表示し、前記強制発注受付用ボタンが操作されることにより前記第２の注文識別情報を含む前記顧客からの前記第２の売買注文の発注指示を前記顧客の端末から受け付ける
ことを特徴とする請求項１記載の金融商品売買発注装置。
【請求項３】
顧客からの金融商品の売買注文を発注する処理を行う金融商品売買発注装置において、
第１の売買注文を識別するための第１の注文識別情報と、前記第１の売買注文の内容を示す第１の注文内容情報と、前記第１の売買注文の発注順序を示す第１の順序情報とを対応付けて記憶するとともに、前記第１の売買注文の約定が成立したときに発注すべきものとして前記顧客により予め決められた第２の売買注文を識別するための第２の注文識別情報と、前記第２の売買注文の内容を示す第２の注文内容情報と、前記第２の売買注文の発注順序を示す第２の順序情報であって前記第１の売買注文の発注順序に次ぐ順序を示す第２の順序情報とを対応付けて記憶する記憶手段と、
前記第１の売買注文の発注順序を示す前記第１の順序情報に対応付けて前記記憶手段に記憶されている前記第１の注文識別情報と前記第１の注文内容情報とを含む注文入力電文を証券取引所に送信することにより、前記第１の売買注文の発注処理を行う発注手段と、
前記第１の注文識別情報と前記第１の注文内容情報とを含む前記注文入力電文が前記発注手段から送信されることにより発注処理が行われた前記第１の売買注文についての約定が成立したことを示す約定成立通知であって前記第１の注文識別情報を含む約定成立通知を前記証券取引所から受信する約定成立通知受信手段と、
前記約定成立通知受信手段が受信した約定成立通知に含まれる前記第１の注文識別情報に対して前記記憶手段で対応付けされている前記第１の順序情報を検出し、当該第１の順序情報が示す発注順序に次ぐ順序を示す第２の順序情報に対応付けて前記記憶手段に記憶されている前記第２の注文識別情報と前記第２の注文内容情報とを含む注文入力電文を証券取引所に送信することにより、前記顧客により予め定められた前記第２の売買注文の発注処理を行う関連発注手段と、
前記約定成立通知受信手段により前記第１の注文識別情報を含む約定成立通知が受信されるまで、前記顧客からの前記第２の売買注文の発注指示を受け付ける強制発注受付手段と、
前記顧客からの前記第２の売買注文の発注指示を前記強制発注受付手段が受けた場合に、前記第２の売買注文の発注順序を示す前記第２の順序情報に対応付けて前記記憶手段に記憶されている前記第２の注文内容情報と前記第２の注文識別情報とを含む注文入力電文を証券取引所に送信することにより、前記顧客から発注指示を受けた前記第２の売買注文の発注処理を行う強制発注手段と
を有することを特徴とする金融商品売買発注装置。
【請求項４】
前記記憶手段は、
前記第１の売買注文を識別するための第１の注文識別情報と、前記第１の売買注文の内容を示す第１の注文内容情報と、前記第１の売買注文の発注順序を示す第１の順序情報と、前記第１の売買注文の状況を示す第１の注文状況フラグであって未発注の状況を示す第１の注文状況フラグとを対応付けて記憶するとともに、
前記第２の売買注文を識別するための第２の注文識別情報と、前記第２の売買注文の内容を示す第２の注文内容情報と、前記第２の売買注文の発注順序を示す前記第２の順序情報とを対応付けて記憶し、
前記発注手段は、前記第１の注文識別情報と前記第１の注文内容情報とを含む前記注文入力電文を送信することにより前記第１の売買注文の発注処理を行った場合に、当該第１の注文識別情報に対応付けて前記記憶手段に記憶されている前記第１の注文状況フラグを未発注を示す情報から注文中を示す情報に更新し、
前記約定成立通知受信手段は、前記第１の注文識別情報を含む前記約定成立通知を受信した場合に、当該第１の注文識別情報に対応付けて前記記憶手段に記憶されている前記第１の注文状況フラグを注文中を示す情報から約定成立を示す情報に更新し、
前記強制発注受付手段は、
前記記憶手段に記憶されている前記第１の売買注文を識別するための第１の注文識別情報と、前記第１の売買注文の内容を示す第１の注文内容情報と、前記第１の売買注文の発注順序を示す第１の順序情報と、前記第１の売買注文の状況を示す第１の注文状況フラグと、前記第２の売買注文の内容を示す第２の注文内容情報と、前記第２の売買注文の発注順序を示す前記第２の順序情報とを前記顧客の端末に送信し、
前記記憶手段に記憶されている前記第１の売買注文を識別するための第１の注文識別情報と、前記第１の売買注文の内容を示す第１の注文内容情報と、前記第１の売買注文の発注順序を示す第１の順序情報と、前記第１の売買注文の状況を示す第１の注文状況フラグとを対応付けて前記顧客の端末の表示画面に表示するとともに、前記記憶手段に記憶されている前記第２の売買注文の内容を示す第２の注文内容情報と、前記第２の売買注文の発注順序を示す前記第２の順序情報とを前記表示画面に表示し、さらに、
前記第１の注文状況フラグが未発注又は注文中を示す情報である場合に、前記第１の注文識別情報を含む前記顧客からの前記第２の売買注文の発注指示を受け付けるための強制発注受付用ボタンを前記表示画面に表示し、前記強制発注受付用ボタンが操作されることにより前記第１の注文識別情報を含む前記顧客からの前記第２の売買注文の発注指示を前記顧客の端末から受け付け、
前記強制発注手段は、前記第１の注文識別情報を含む前記顧客からの前記第２の売買注文の発注指示を前記強制発注受付手段が受けた場合に、当該第１の注文識別情報に対応付けて前記記憶手段に記憶されている前記第１の順序情報を検出し、当該第１の順序情報が示す発注順序に次ぐ順序を示す第２の順序情報に対応付けて前記記憶手段に記憶されている前記第２の注文識別情報と前記第２の注文内容情報とを含む注文入力電文を証券取引所に送信することにより、前記顧客から発注指示を受けた前記第２の売買注文の発注処理を行う
ことを特徴とする請求項３記載の金融商品売買発注装置。
【請求項５】
前記記憶手段は、
前記第１の売買注文を識別するための第１の注文識別情報と、前記第１の売買注文の内容を示す第１の注文内容情報と、前記第１の売買注文の発注順序を示す第１の順序情報とを対応付けて記憶するとともに、
前記第２の売買注文を識別するための第２の注文識別情報と、前記第２の売買注文の内容を示す第２の注文内容情報と、前記第２の売買注文の発注順序を示す前記第２の順序情報と、前記第２の売買注文の状況を示す第２の注文状況フラグであって未発注の状況を示す第２の注文状況フラグとを対応付けて記憶し、
前記強制発注手段は、前記顧客からの前記第２の売買注文の発注指示を前記強制発注受付手段が受けた場合に、前記第２の注文内容情報と前記第２の注文識別情報とを含む注文入力電文を証券取引所に送信することにより、前記顧客から発注指示を受けた前記第２の売買注文の発注処理を行い、当該第２の注文識別情報に対応付けて前記記憶手段に記憶されている前記第２の注文状況フラグを未発注を示す情報から注文中を示す情報に更新し、
前記関連発注手段は、前記約定成立通知受信手段が受信した約定成立通知に含まれる前記第１の注文識別情報に対応付けて前記記憶手段に記憶されている前記第１の順序情報を検出し、当該第１の順序情報が示す発注順序に次ぐ順序を示す第２の順序情報に対応付けて前記記憶手段に記憶されている前記第２の注文状況フラグが未発注の状況を示すものである場合に、当該第２の注文状況フラグ及び当該第２の順序情報に対応付けて前記記憶手段に記憶されている前記第２の注文識別情報と前記第２の注文内容情報とを含む注文入力電文を証券取引所に送信することにより、前記顧客により予め定められた前記第２の売買注文の発注処理を行う
ことを特徴とする請求項１又は３記載の金融商品売買発注装置。
【請求項６】
顧客からの金融商品の売買注文を発注する処理を行う金融商品売買発注装置において、
第１の売買注文を識別するための第１の注文識別情報と、前記第１の売買注文の内容を示す第１の注文内容情報と、前記第１の売買注文の発注順序を示す第１の順序情報と、前記第１の売買注文の状況を示す第１の注文状況フラグであって未発注の状況を示す第１の注文状況フラグとを対応付けて記憶するとともに、前記第１の売買注文の約定が成立したときに発注すべきものとして前記顧客により予め決められた複数の第２の個別売買注文の各々を識別するための複数の第２の個別注文識別情報と、前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す第２の順序情報であって前記第１の売買注文の発注順序に次ぐ順序を示す第２の順序情報と、前記複数の第２の個別注文識別情報の各々に対応する前記複数の第２の個別売買注文の状況を示す複数の第２の個別注文状況フラグであって未発注の状況を示す第２の個別注文状況フラグとを前記第２の個別注文識別情報別に対応付けて記憶する記憶手段と、
前記第１の売買注文の発注順序を示す前記第１の順序情報に対応付けて前記記憶手段に記憶されている前記第１の注文識別情報と前記第１の注文内容情報とを含む注文入力電文を証券取引所に送信することにより、前記第１の売買注文の発注処理を行い、当該第１の注文識別情報に対応付けて前記記憶手段に記憶されている前記第１の注文状況フラグを未発注を示す情報から注文中を示す情報に更新する発注手段と、
前記第１の注文識別情報と前記第１の注文内容情報とを含む前記注文入力電文が前記発注手段から送信されることにより発注処理が行われた前記第１の売買注文についての約定が成立したことを示す約定成立通知であって前記第１の注文識別情報を含む約定成立通知を前記証券取引所から受信し、当該約定成立通知に含まれる前記第１の注文識別情報に対応付けて前記記憶手段に記憶されている前記第１の注文状況フラグを注文中を示す情報から約定成立を示す情報に更新する約定成立通知受信手段と、
前記約定成立通知受信手段が受信した約定成立通知に含まれる前記第１の注文識別情報に対して前記記憶手段で対応付けされている前記第１の順序情報を検出し、当該第１の順序情報が示す発注順序に次ぐ順序を示す第２の順序情報に対応付けて前記記憶手段に記憶されている第２の個別注文識別情報の各々に対応する注文入力電文であって当該第２の個別注文識別情報と当該第２の個別注文識別情報に対応付けて前記記憶手段に記憶されている第２の個別注文内容情報とを含む注文入力電文を証券取引所に送信することにより、前記顧客により予め定められた前記第２の個別売買注文の発注処理を行う関連発注手段と、
前記顧客からの前記第２の個別売買注文の個別発注指示を受け付ける個別強制発注受付手段と、
前記顧客からの前記第２の個別売買注文の個別発注指示を前記個別強制発注受付手段が受けた場合に、前記記憶手段に記憶されている前記第２の個別注文内容情報と前記第２の個別注文識別情報とを含む注文入力電文を証券取引所に送信することにより、前記顧客から個別発注指示を受けた前記第２の個別売買注文の発注処理を行う個別強制発注手段と、
前記第１の売買注文の注文内容と前記複数の第２の個別売買注文の注文内容を前記顧客の端末の表示画面に表示する注文情報提供手段と
を有し、
前記注文情報提供手段は、
前記記憶手段に記憶されている前記第１の売買注文の内容を示す第１の注文内容情報と、前記第１の売買注文の発注順序を示す第１の順序情報と、前記第１の売買注文の状況を示す第１の注文状況フラグとを対応付けて前記表示画面に表示するとともに、
前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す前記第２の順序情報と、前記複数の第２の個別注文識別情報の各々に対応する前記複数の第２の個別売買注文の状況を示す複数の第２の個別注文状況フラグとを前記第２の個別注文識別情報別に対応付けて前記表示画面に表示し、さらに、
前記記憶手段に記憶されている前記第１の注文状況フラグが未発注又は注文中を示す情報である場合に、前記第２の個別売買注文についての個別発注指示を前記顧客から受け付けるための個別強制発注受付用ボタンを、前記複数の第２の個別注文内容情報のうち前記記憶手段で未発注を示す第２の個別注文状況フラグに対応付けて記憶されている第２の個別注文内容情報に対応付けて前記表示画面に表示し、
前記個別強制発注受付手段は、前記表示画面に表示された前記個別強制発注受付用ボタンが操作されることにより当該個別強制発注受付用ボタンに対応付けて表示された前記第２の個別注文内容情報が示す前記第２の個別売買注文についての個別発注指示を前記顧客から受け付け、
前記個別強制発注手段は、前記個別強制発注受付ボタンに対応付けて表示された前記第２の個別注文内容情報が示す前記第２の個別売買注文についての個別発注指示を前記個別強制発注受付手段が受けた場合に、当該第２の個別注文内容情報と当該第２の個別注文内容情報に対応付けて前記記憶手段に記憶されている第２の個別注文識別情報とを含む注文入力電文を証券取引所に送信することにより、前記顧客から個別発注指示を受けた前記第２の個別売買注文の発注処理を行い、当該第２の個別注文識別情報に対応付けて前記記憶手段に記憶されている前記第２の個別注文状況フラグを未発注を示す情報から注文中を示す情報に更新する
ことを特徴とする金融商品売買発注装置。
【請求項７】
前記注文情報提供手段は、
前記記憶手段に記憶された前記第１の売買注文の内容を示す第１の注文内容情報と、前記第１の売買注文の発注順序を示す第１の順序情報と、前記第１の売買注文の状況を示す第１の注文状況フラグと、前記複数の第２の個別売買注文の各々を識別するための複数の第２の個別注文識別情報と、前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す前記第２の順序情報と、前記複数の第２の個別注文識別情報の各々に対応する前記複数の第２の個別売買注文の状況を示す複数の第２の個別注文状況フラグとを前記顧客の端末に送信し、
前記記憶手段に記憶されている前記第１の売買注文の内容を示す第１の注文内容情報と、前記第１の売買注文の発注順序を示す第１の順序情報と、前記第１の売買注文の状況を示す第１の注文状況フラグとを対応付けて前記表示画面に表示するとともに、
前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す前記第２の順序情報と、前記複数の第２の個別注文識別情報の各々に対応する前記複数の第２の個別売買注文の状況を示す複数の第２の個別注文状況フラグとを前記第２の個別注文識別情報別に対応付けて前記表示画面に表示し、さらに、
前記記憶手段に記憶されている前記第１の注文状況フラグが未発注又は注文中を示す情報である場合に、前記第２の個別売買注文についての個別発注指示であって当該第２の個別売買注文を識別するための第２の個別注文識別情報を含む個別発注指示を前記顧客から受け付けるための個別強制発注受付用ボタンを、前記記憶手段で未発注を示す第２の個別注文状況フラグに対応付けて記憶されている第２の個別注文内容情報に対応付けて前記表示画面に表示し、
前記注文情報提供手段により前記第２の個別注文内容情報に対応付けて表示された、前記第２の個別売買注文についての個別発注指示を前記顧客から受け付けるための前記個別強制発注受付用ボタンは、当該個別強制発注受付用ボタンに対応付けて表示された前記第２の個別注文内容情報が示す第２の個別売買注文を識別するための第２の個別注文識別情報を含む個別発注指示を前記個別強制発注受付手段に送信するための送信ボタンであり、
前記個別強制発注手段は、前記第２の個別注文識別情報を含む個別発注指示を前記個別強制発注受付手段が受けた場合に、当該第２の個別注文識別情報と当該第２の個別注文識別情報に対応付けて前記記憶手段に記憶されている第２の個別注文内容情報とを含む注文入力電文を証券取引所に送信することにより、前記顧客から個別発注指示を受けた前記第２の個別売買注文の発注処理を行い、当該第２の個別注文識別情報に対応付けて前記記憶手段に記憶されている前記第２の個別注文状況フラグを未発注を示す情報から注文中を示す情報に更新する
ことを特徴とする請求項６記載の金融商品売買発注装置。
【請求項８】
顧客からの金融商品の売買注文を発注する処理を行う金融商品売買発注装置において、
第１の売買注文を識別するための第１の注文識別情報と、前記第１の売買注文の内容を示す第１の注文内容情報と、前記第１の売買注文の発注順序を示す第１の順序情報と、前記第１の売買注文の状況を示す第１の注文状況フラグであって未発注の状況を示す第１の注文状況フラグとを対応付けて記憶するとともに、前記第１の売買注文の約定が成立したときに発注すべきものとして前記顧客により予め決められた複数の第２の個別売買注文の各々を識別するための複数の第２の個別注文識別情報と、前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す第２の順序情報であって前記第１の売買注文の発注順序に次ぐ順序を示す第２の順序情報と、前記複数の第２の個別注文識別情報の各々に対応する前記複数の第２の個別売買注文の状況を示す複数の第２の個別注文状況フラグであって未発注の状況を示す第２の個別注文状況フラグとを前記第２の個別注文識別情報別に対応付けて記憶する記憶手段と、
前記第１の売買注文の発注順序を示す前記第１の順序情報に対応付けて前記記憶手段に記憶されている前記第１の注文識別情報と前記第１の注文内容情報とを含む注文入力電文を証券取引所に送信することにより、前記第１の売買注文の発注処理を行い、当該第１の注文識別情報に対応付けて前記記憶手段に記憶されている前記第１の注文状況フラグを未発注を示す情報から注文中を示す情報に更新する発注手段と、
前記第１の注文識別情報と前記第１の注文内容情報とを含む前記注文入力電文が前記発注手段から送信されることにより発注処理が行われた前記第１の売買注文についての約定が成立したことを示す約定成立通知であって前記第１の注文識別情報を含む約定成立通知を前記証券取引所から受信し、当該約定成立通知に含まれる前記第１の注文識別情報に対応付けて前記記憶手段に記憶されている前記第１の注文状況フラグを注文中を示す情報から約定成立を示す情報に更新する約定成立通知受信手段と、
前記約定成立通知受信手段が受信した約定成立通知に含まれる前記第１の注文識別情報に対して前記記憶手段で対応付けされている前記第１の順序情報を検出し、当該第１の順序情報が示す発注順序に次ぐ順序を示す第２の順序情報に対応付けて前記記憶手段に記憶されている第２の個別注文識別情報の各々に対応する注文入力電文であって当該第２の個別注文識別情報と当該第２の個別注文識別情報に対応付けて前記記憶手段に記憶されている第２の個別注文内容情報とを含む注文入力電文を証券取引所に送信することにより、前記顧客により予め定められた前記第２の個別売買注文の発注処理を行う関連発注手段と、
前記顧客からの前記第２の個別売買注文の一括発注指示を受け付ける一括強制発注受付手段と、
前記顧客からの前記第２の個別売買注文の一括発注指示を前記一括強制発注受付手段が受けた場合に、前記記憶手段に記憶されている前記第２の個別注文内容情報と前記第２の個別注文識別情報とを含む注文入力電文を証券取引所に送信することにより、前記顧客から一括発注指示を受けた前記第２の個別売買注文の発注処理を行う一括強制発注手段と、
前記第１の売買注文の注文内容と前記複数の第２の個別売買注文の注文内容を前記顧客の端末の表示画面に表示する注文情報提供手段と
を有し、
前記注文情報提供手段は、
前記記憶手段に記憶されている前記第１の売買注文の内容を示す第１の注文内容情報と、前記第１の売買注文の発注順序を示す第１の順序情報と、前記第１の売買注文の状況を示す第１の注文状況フラグとを対応付けて前記表示画面に表示するとともに、
前記記憶手段に記憶されている前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す前記第２の順序情報と、前記複数の第２の個別注文識別情報の各々に対応する前記複数の第２の個別売買注文の状況を示す複数の第２の個別注文状況フラグとを前記第２の個別注文識別情報別に対応付けて前記表示画面に表示し、さらに、
前記記憶手段に記憶されている前記第１の注文状況フラグが未発注又は注文中を示す情報である場合に、前記記憶手段に記憶されている前記複数の第２の個別注文状況フラグの中に未発注の状況を示すものがあるときに、前記第２の個別売買注文についての一括発注指示を前記顧客から受け付けるための一括強制発注受付用ボタンを前記第１の注文内容情報に対応付けて前記表示画面に表示し、
前記一括強制発注受付手段は、前記表示画面に表示された前記一括強制発注受付用ボタンが操作されることにより前記表示画面に表示された前記第２の個別注文内容情報が示す前記第２の個別売買注文についての一括発注指示を前記顧客から受け付け、
前記一括強制発注手段は、前記表示画面に表示された前記第２の個別注文内容情報が示す前記第２の個別売買注文についての一括発注指示を前記一括強制発注受付手段が受けた場合に、一括発注指示を受けた当該第２の個別売買注文の内容を示す前記第２の個別注文内容情報の各々に対応する注文入力電文であって当該第２の個別注文内容情報と当該第２の個別注文内容情報に対応付けて前記記憶手段に記憶されている第２の個別注文識別情報とを含む注文入力電文を証券取引所に送信することにより、前記顧客から一括発注指示を受けた前記第２の個別売買注文の発注処理を行い、当該注文入力電文に対応する前記第２の個別注文識別情報の各々に対して前記記憶手段で対応付けて記憶されている前記第２の個別注文状況フラグを未発注を示す情報から注文中を示す情報に更新する
ことを特徴とする金融商品売買発注装置。
【請求項９】
前記注文情報提供手段は、
前記記憶手段に記憶されている前記第１の売買注文を識別するための第１の注文識別情報と、前記第１の売買注文の内容を示す第１の注文内容情報と、前記第１の売買注文の発注順序を示す第１の順序情報と、前記第１の売買注文の状況を示す第１の注文状況フラグと、前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す前記第２の順序情報と、前記複数の第２の個別注文識別情報の各々に対応する前記複数の第２の個別売買注文の状況を示す複数の第２の個別注文状況フラグとを前記顧客の端末に送信し、
前記記憶手段に記憶されている前記第１の売買注文の内容を示す第１の注文内容情報と、前記第１の売買注文の発注順序を示す第１の順序情報と、前記第１の売買注文の状況を示す第１の注文状況フラグとを対応付けて前記表示画面に表示するとともに、
前記記憶手段に記憶されている前記複数の第２の個別注文識別情報の各々に対応する前記複数の第２の個別売買注文の内容を示す複数の第２の個別注文内容情報と、前記複数の第２の個別注文識別情報の各々に対応する前記複数の第２の個別売買注文の発注順序を示す前記第２の順序情報と、前記複数の第２の個別注文識別情報の各々に対応する前記複数の第２の個別売買注文の状況を示す複数の第２の個別注文状況フラグとを前記第２の個別注文識別情報別に対応付けて前記表示画面に表示し、さらに、
前記記憶手段に記憶されている前記第１の注文状況フラグが未発注又は注文中を示す情報である場合に、前記記憶手段に記憶されている前記複数の第２の個別注文状況フラグの中に未発注の状況を示すものがあるときに、前記第２の個別売買注文についての一括発注指示であって前記第１の注文識別情報を含む一括発注指示を前記顧客から受け付けるための一括強制発注受付用ボタンを前記第１の注文内容情報に対応付けて前記表示画面に表示し、
前記注文情報提供手段により前記第１の注文内容情報に対応付けて表示された、前記第２の個別売買注文についての一括発注指示を前記顧客から受け付けるための前記一括強制発注受付用ボタンは、当該一括強制発注受付用ボタンに対応付けて表示された前記第１の注文内容情報が示す第１の売買注文を識別するための第１の注文識別情報を含む一括発注指示を前記一括強制発注受付手段に送信するための送信ボタンであり、
前記一括強制発注手段は、前記第１の注文識別情報を含む一括発注指示を前記一括強制発注受付手段が受けた場合に、当該第１の注文識別情報に対応付けて前記記憶手段に記憶されている第１の順序情報を検出し、当該第１の順序情報が示す発注順序に次ぐ順序を示す第２の順序情報に対応付けて前記記憶手段に記憶されている前記複数の第２の個別注文状況フラグの中に未発注の状況を示すものがあるとき、当該未発注を示す第２の個別注文状況フラグ及び当該第２の順序情報に対応付けて前記記憶手段に記憶されている第２の個別注文識別情報の各々に対応する注文入力電文であって当該第２の個別注文識別情報と当該第２の個別注文識別情報に対応付けて前記記憶手段に記憶されている第２の個別注文内容情報とを含む注文入力電文を証券取引所に送信することにより、前記顧客から一括発注指示を受けた前記第２の個別売買注文の発注処理を行い、当該注文入力電文に対応する前記第２の個別注文識別情報の各々に対して前記記憶手段で対応付けて記憶されている前記第２の個別注文状況フラグを未発注を示す情報から注文中を示す情報に更新する
ことを特徴とする請求項８記載の金融商品売買発注装置。
【請求項１０】
前記関連発注手段は、前記約定成立通知受信手段が受信した約定成立通知に含まれる前記第１の注文識別情報に対して前記記憶手段で対応付けされた前記第１の順序情報を検出し、当該第１の順序情報が示す発注順序に次ぐ順序を示す第２の順序情報に対応付けて前記記憶手段に記憶されている前記複数の第２の個別注文状況フラグの中に未発注の状況を示すものがある場合に、当該未発注を示す第２の個別注文状況フラグ及び当該第２の順序情報に対応付けて前記記憶手段に記憶されている第２の個別注文識別情報の各々に対応する注文入力電文であって当該第２の個別注文識別情報と当該第２の個別注文識別情報に対応付けて前記記憶手段に記憶されている第２の個別注文内容情報とを含む注文入力電文を証券取引所に送信することにより、前記顧客により予め定められた前記第２の個別売買注文の発注処理を行い、当該注文入力電文に対応する前記第２の個別注文識別情報の各々に対して前記記憶手段で対応付けて記憶されている前記第２の個別注文状況フラグを未発注を示す情報から注文中を示す情報に更新する
ことを特徴とする請求項６〜９の何れかに記載の金融商品売買発注装置。
【請求項１１】
前記関連発注手段は、前記約定成立通知受信手段が受信した約定成立通知に含まれる前記第１の注文識別情報に対して前記記憶手段で対応付けされた前記第１の順序情報を検出し、当該第１の順序情報が示す発注順序に次ぐ順序を示す第２の順序情報に対応付けて前記記憶手段に記憶されている前記複数の第２の個別注文状況フラグの中に未発注の状況を示すものがある場合に、当該未発注を示す第２の個別注文状況フラグ及び当該第２の順序情報に対応付けて前記記憶手段に記憶されている第２の個別注文識別情報の各々に対応する注文入力電文であって当該第２の個別注文識別情報と当該第２の個別注文識別情報に対応付けて前記記憶手段に記憶されている第２の個別注文内容情報とを含む注文入力電文を証券取引所に送信することにより、前記顧客により予め定められた前記第２の個別売買注文の発注処理を行い、当該注文入力電文に対応する前記第２の個別注文識別情報の各々に対して前記記憶手段で対応付けて記憶されている前記第２の個別注文状況フラグを未発注を示す情報から前記第１の売買注文の約定に基づく発注に対応する第１の注文中を示す情報に更新し、
前記個別強制発注手段は、前記個別強制発注受付ボタンに対応付けて表示された前記第２の個別注文内容情報が示す前記第２の個別売買注文についての個別発注指示を前記個別強制発注受付手段が受けた場合に、当該第２の個別注文内容情報と当該第２の個別注文内容情報に対応付けて前記記憶手段に記憶されている第２の個別注文識別情報とを含む注文入力電文を証券取引所に送信することにより、前記顧客から個別発注指示を受けた前記第２の個別売買注文の発注処理を行い、当該第２の個別注文識別情報に対応付けて前記記憶手段に記憶されている前記第２の個別注文状況フラグを未発注を示す情報から前記顧客からの発注指示に基づく発注に対応する第２の注文中を示す情報に更新し、
前記注文情報提供手段は、前記記憶手段に対応付けて記憶されている前記第２の個別注文内容情報と前記第２の順序情報と前記第２の個別注文状況フラグとを前記表示画面に対応付けて表示する場合に、前記第２の個別注文状況フラグが前記第１の売買注文の約定に基づく発注に対応する第１の注文中を示す情報である場合と前記顧客からの発注指示に基づく発注に対応する第２の注文中を示す情報である場合とで当該第２の個別注文状況フラグの表示を異なる表示とする
ことを特徴とする請求項６又は７に記載の金融商品売買発注装置。
【請求項１２】
前記関連発注手段は、前記約定成立通知受信手段が受信した約定成立通知に含まれる前記第１の注文識別情報に対して前記記憶手段で対応付けされた前記第１の順序情報を検出し、当該第１の順序情報が示す発注順序に次ぐ順序を示す第２の順序情報に対応付けて前記記憶手段に記憶されている前記複数の第２の個別注文状況フラグの中に未発注の状況を示すものがある場合に、当該未発注を示す第２の個別注文状況フラグ及び当該第２の順序情報に対応付けて前記記憶手段に記憶されている第２の個別注文識別情報の各々に対応する注文入力電文であって当該第２の個別注文識別情報と当該第２の個別注文識別情報に対応付けて前記記憶手段に記憶されている第２の個別注文内容情報とを含む注文入力電文を証券取引所に送信することにより、前記顧客により予め定められた前記第２の個別売買注文の発注処理を行い、当該注文入力電文に対応する前記第２の個別注文識別情報の各々に対して前記記憶手段で対応付けて記憶されている前記第２の個別注文状況フラグを未発注を示す情報から前記第１の売買注文の約定に基づく発注に対応する第１の注文中を示す情報に更新し、
前記一括強制発注手段は、前記表示画面に表示された前記第２の個別注文内容情報が示す前記第２の個別売買注文についての一括発注指示を前記一括強制発注受付手段が受けた場合に、一括発注指示を受けた当該第２の個別売買注文の内容を示す前記第２の個別注文内容情報の各々に対応する注文入力電文であって当該第２の個別注文内容情報と当該第２の個別注文内容情報に対応付けて前記記憶手段に記憶されている第２の個別注文識別情報とを含む注文入力電文を証券取引所に送信することにより、前記顧客から一括発注指示を受けた前記第２の個別売買注文の発注処理を行い、当該注文入力電文に対応する前記第２の個別注文識別情報の各々に対して前記記憶手段で対応付けて記憶されている前記第２の個別注文状況フラグを未発注を示す情報から前記顧客からの発注指示に基づく発注に対応する第２の注文中を示す情報に更新し、
前記注文情報提供手段は、前記記憶手段に対応付けて記憶されている前記第２の個別注文内容情報と前記第２の順序情報と前記第２の個別注文状況フラグとを前記表示画面に対応付けて表示する場合に、前記第２の個別注文状況フラグが前記第１の売買注文の約定に基づく発注に対応する第１の注文中を示す情報である場合と前記顧客からの発注指示に基づく発注に対応する第２の注文中を示す情報である場合とで当該第２の個別注文状況フラグの表示を異なる表示とする
ことを特徴とする請求項８又は９に記載の金融商品売買発注装置。
【請求項１３】
前記約定成立通知受信手段は、前記第１の売買注文が約定したことを示す約定成立通知であって前記第１の注文識別情報と当該第１の売買注文の注文残数量とを含む約定成立通知を前記証券取引所から受信し、当該約定成立通知に含まれる注文残数量が０であるとき、当該第１の注文識別情報に対応付けて前記記憶手段に記憶されている前記第１の注文状況フラグを注文中を示す情報から約定成立を示す情報に更新し、
前記関連発注手段は、前記約定成立通知受信手段が受信した前記約定成立通知に含まれる前記注文残数量が０である場合に、当該約定成立通知に含まれる前記第１の注文識別情報に対して前記記憶手段で対応付けされている前記第１の順序情報を検出し、当該第１の順序情報が示す発注順序に次ぐ順序を示す第２の順序情報に対応付けて前記記憶手段に記憶されている前記複数の第２の個別注文状況フラグの中に未発注の状況を示すものがあるとき、当該未発注を示す第２の個別注文状況フラグ及び当該第２の順序情報に対応付けて前記記憶手段に記憶されている第２の個別注文識別情報の各々に対応する注文入力電文であって当該第２の個別注文識別情報と当該第２の個別注文識別情報に対応付けて前記記憶手段に記憶されている第２の個別注文内容情報とを含む注文入力電文を証券取引所に送信することにより、前記顧客により予め定められた前記第２の個別売買注文の発注処理を行い、当該注文入力電文に対応する前記第２の個別注文識別情報の各々に対して前記記憶手段で対応付けて記憶されている前記第２の個別注文状況フラグを未発注を示す情報から注文中を示す情報に更新する
ことを特徴とする請求項６〜１０の何れかに記載の金融商品売買発注装置。
【請求項１４】
前記約定成立通知受信手段は、前記第１の売買注文が約定したことを示す約定成立通知であって前記第１の注文識別情報と当該第１の売買注文の注文残数量とを含む約定成立通知を前記証券取引所から受信し、
前記関連発注手段は、前記約定成立通知受信手段が受信した前記約定成立通知に含まれる前記注文残数量が０である場合に、当該約定成立通知に含まれる前記第１の注文識別情報に対して前記記憶手段で対応付けされている前記第１の順序情報を検出し、当該第１の順序情報が示す発注順序に次ぐ順序を示す第２の順序情報に対応付けて前記記憶手段に記憶されている前記第２の注文状況フラグが未発注の状況を示すものであるとき、当該第２の注文状況フラグ及び当該第２の順序情報に対応付けて前記記憶手段に記憶されている前記第２の注文識別情報と前記第２の注文内容情報とを含む注文入力電文を証券取引所に送信することにより、前記顧客により予め定められた前記第２の売買注文の発注処理を行い、当該第２の注文識別情報に対応付けて前記記憶手段に記憶されている前記第２の注文状況フラグを未発注を示す情報から注文中を示す情報に更新し、
前記強制発注受付手段は、前記約定成立通知受信手段により前記第１の注文識別情報と前記注文残数量とを含む約定成立通知であって当該注文残数量が０である約定成立通知が受信されるまで、前記顧客からの前記第２の売買注文の発注指示を受け付ける
ことを特徴とする請求項５記載の金融商品売買発注装置。
【請求項１５】
前記約定成立通知受信手段は、前記第１の売買注文が約定したことを示す約定成立通知であって前記第１の注文識別情報と当該第１の売買注文の注文残数量とを含む約定成立通知を前記証券取引所から受信し、当該約定成立通知に含まれる注文残数量が０であるとき、当該第１の注文識別情報に対応付けて前記記憶手段に記憶されている前記第１の注文状況フラグを注文中を示す情報から約定成立を示す情報に更新し、
前記関連発注手段は、前記約定成立通知受信手段が受信した前記約定成立通知に含まれる前記注文残数量が０である場合に、当該約定成立通知に含まれる前記第１の注文識別情報に対して前記記憶手段で対応付けされている前記第１の順序情報を検出し、当該第１の順序情報が示す発注順序に次ぐ順序を示す第２の順序情報に対応付けて前記記憶手段に記憶されている前記第２の注文識別情報と前記第２の注文内容情報とを含む注文入力電文を証券取引所に送信することにより、前記顧客により予め定められた前記第２の売買注文の発注処理を行う
ことを特徴とする請求項２又は４記載の金融商品売買発注装置。
【請求項１６】
コンピュータを、請求項１〜１５の何れかに記載の金融商品売買発注装置として機能させるためのプログラム。
【発明の詳細な説明】
【技術分野】
【０００１】
本発明は、金融商品売買発注装置及びプログラムに関する。特に、本発明は、顧客からの金融商品の売買注文を発注する処理を行う金融商品売買発注装置及びプログラムに関する。
【背景技術】
【０００２】
第１の売買注文の約定が成立したときに、第１の売買注文の次に発注すべきものとして予め決められていた第２の売買注文の発注処理を行う金融商品売買発注装置が知られている（特許文献１参照）。
【特許文献１】特許第３５７２０１４号公報
【発明の開示】
【発明が解決しようとする課題】
【０００３】
しかしながら、上記特許文献に記載の金融商品売買発注装置では、第２の売買注文は第１の売買注文の約定成立後に発注すべきものとされており、注文者にとって、上記第２の売買注文の発注がなされるには第１の売買注文の約定成立を待つ必要がある。本発明は上記観点に鑑みてなされたものであり、その目的は、第１の売買注文の約定が成立したときに、第１の売買注文の次に発注すべきものとして顧客により予め決められていた第２の売買注文の発注処理を行う金融商品売買発注装置において、顧客が第２の売買注文を強制発注できる機能を付加することにある。
【課題を解決するための手段】
【０００４】
上記課題を解決するために、本発明の第１の形態においては、顧客からの金融商品の売買注文を発注する処理を行う金融商品売買発注装置において、第１の売買注文を識別するための第１の注文識別情報と、第１の売買注文の内容を示す第１の注文内容情報と、第１の売買注文の発注順序を示す第１の順序情報とを対応付けて記憶するとともに、第１の売買注文の約定が成立したときに発注すべきものとして顧客により予め決められた第２の売買注文を識別するための第２の注文識別情報と、第２の売買注文の内容を示す第２の注文内容情報と、第２の売買注文の発注順序を示す第２の順序情報であって第１の売買注文の発注順序に次ぐ順序を示す第２の順序情報とを対応付けて記憶する記憶手段と、第１の売買注文の発注順序を示す第１の順序情報に対応付けて記憶手段に記憶されている第１の注文識別情報と第１の注文内容情報とを含む注文入力電文を証券取引所に送信することにより、第１の売買注文の発注処理を行う発注手段と、第１の注文識別情報と第１の注文内容情報とを含む注文入力電文が発注手段から送信されることにより発注処理が行われた第１の売買注文についての約定が成立したことを示す約定成立通知であって第１の注文識別情報を含む約定成立通知を証券取引所から受信する約定成立通知受信手段と、約定成立通知受信手段が受信した約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の注文識別情報と第２の注文内容情報とを含む注文入力電文を証券取引所に送信することにより、顧客により予め定められた第２の売買注文の発注処理を行う関連発注手段と、約定成立通知受信手段により第１の注文識別情報を含む約定成立通知が受信されるまで、第２の注文識別情報を含む顧客からの第２の売買注文の発注指示を受け付ける強制発注受付手段と、第２の注文識別情報を含む顧客からの第２の売買注文の発注指示を強制発注受付手段が受けた場合に、当該第２の注文識別情報と当該第２の注文識別情報に対応付けて記憶手段に記憶されている第２の注文内容情報とを含む注文入力電文を証券取引所に送信することにより、顧客から発注指示を受けた第２の売買注文の発注処理を行う強制発注手段とを有する。
【０００５】
記憶手段は、第１の売買注文を識別するための第１の注文識別情報と、第１の売買注文の内容を示す第１の注文内容情報と、第１の売買注文の発注順序を示す第１の順序情報と、第１の売買注文の状況を示す第１の注文状況フラグであって「未発注」の状況を示す第１の注文状況フラグとを対応付けて記憶するとともに、第２の売買注文を識別するための第２の注文識別情報と、第２の売買注文の内容を示す第２の注文内容情報と、第２の売買注文の発注順序を示す第２の順序情報とを対応付けて記憶し、発注手段は、第１の注文識別情報と第１の注文内容情報とを含む注文入力電文を送信することにより第１の売買注文の発注処理を行った場合に、当該第１の注文識別情報に対応付けて記憶手段に記憶されている第１の注文状況フラグを「未発注」を示す情報から「注文中」を示す情報に更新し、約定成立通知受信手段は、第１の注文識別情報を含む約定成立通知を受信した場合に、当該第１の注文識別情報に対応付けて記憶手段に記憶されている第１の注文状況フラグを「注文中」を示す情報から「約定成立」を示す情報に更新し、強制発注受付手段は、記憶手段に記憶されている第１の売買注文の内容を示す第１の注文内容情報と、第１の売買注文の発注順序を示す第１の順序情報と、第１の売買注文の状況を示す第１の注文状況フラグと、第２の売買注文を識別するための第２の注文識別情報と、第２の売買注文の内容を示す第２の注文内容情報と、第２の売買注文の発注順序を示す第２の順序情報とを顧客の端末に送信し、記憶手段に記憶されている第１の売買注文の内容を示す第１の注文内容情報と、第１の売買注文の発注順序を示す第１の順序情報と、第１の売買注文の状況を示す第１の注文状況フラグとを対応付けて顧客の端末の表示画面に表示するとともに、記憶手段に記憶されている第２の売買注文の内容を示す第２の注文内容情報と、第２の売買注文の発注順序を示す第２の順序情報とを対応付けて表示画面に表示し、さらに、第１の注文状況フラグが「未発注」又は「注文中」を示す情報である場合に、第２の注文識別情報を含む顧客からの第２の売買注文の発注指示を受け付けるための強制発注受付用ボタンを表示画面に表示し、強制発注受付用ボタンが操作されることにより第２の注文識別情報を含む顧客からの第２の売買注文の発注指示を顧客の端末から受け付ける構成としてもよい。
【０００６】
記憶手段は、第１の売買注文を識別するための第１の注文識別情報と、第１の売買注文の内容を示す第１の注文内容情報と、第１の売買注文の発注順序を示す第１の順序情報とを対応付けて記憶するとともに、第２の売買注文を識別するための第２の注文識別情報と、第２の売買注文の内容を示す第２の注文内容情報と、第２の売買注文の発注順序を示す第２の順序情報と、第２の売買注文の状況を示す第２の注文状況フラグであって「未発注」の状況を示す第２の注文状況フラグとを対応付けて記憶し、強制発注手段は、顧客からの第２の売買注文の発注指示を強制発注受付手段が受けた場合に、第２の注文内容情報と第２の注文識別情報とを含む注文入力電文を証券取引所に送信することにより、顧客から発注指示を受けた第２の売買注文の発注処理を行い、当該第２の注文識別情報に対応付けて記憶手段に記憶されている第２の注文状況フラグを「未発注」を示す情報から「注文中」を示す情報に更新し、関連発注手段は、約定成立通知受信手段が受信した約定成立通知に含まれる第１の注文識別情報に対応付けて記憶手段に記憶されている第１の順序情報を検出し、当該第１の順序情報が示す発注順序に次ぐ順序を示す第２の順序情報に対応付けて記憶手段に記憶されている第２の注文状況フラグが「未発注」の状況を示すものである場合に、当該第２の注文状況フラグ及び当該第２の順序情報に対応付けて記憶手段に記憶されている第２の注文識別情報と第２の注文内容情報とを含む注文入力電文を証券取引所に送信することにより、顧客により予め定められた第２の売買注文の発注処理を行う構成としてもよい。
【０００７】
約定成立通知受信手段は、第１の売買注文が約定したことを示す約定成立通知であって第１の注文識別情報と当該第１の売買注文の注文残数量とを含む約定成立通知を証券取引所から受信し、関連発注手段は、約定成立通知受信手段が受信した約定成立通知に含まれる注文残数量が０である場合に、当該約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の注文状況フラグが「未発注」の状況を示すものであるとき、当該第２の注文状況フラグ及び当該第２の順序情報に対応付けて記憶手段に記憶されている第２の注文識別情報と第２の注文内容情報とを含む注文入力電文を証券取引所に送信することにより、顧客により予め定められた第２の売買注文の発注処理を行い、当該第２の注文識別情報に対応付けて記憶手段に記憶されている第２の注文状況フラグを「未発注」を示す情報から「注文中」を示す情報に更新し、強制発注受付手段は、約定成立通知受信手段により第１の注文識別情報と注文残数量とを含む約定成立通知であって当該注文残数量が０である約定成立通知が受信されるまで、顧客からの第２の売買注文の発注指示を受け付ける構成としてもよい。
【０００８】
約定成立通知受信手段は、第１の売買注文が約定したことを示す約定成立通知であって第１の注文識別情報と当該第１の売買注文の注文残数量とを含む約定成立通知を証券取引所から受信し、当該約定成立通知に含まれる注文残数量が０であるとき、当該第１の注文識別情報に対応付けて記憶手段に記憶されている第１の注文状況フラグを「注文中」を示す情報から「約定成立」を示す情報に更新し、関連発注手段は、約定成立通知受信手段が受信した約定成立通知に含まれる注文残数量が０である場合に、当該約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の注文識別情報と第２の注文内容情報とを含む注文入力電文を証券取引所に送信することにより、顧客により予め定められた第２の売買注文の発注処理を行う構成としてもよい。
【０００９】
上記課題を解決するために、本発明の第２の形態においては、顧客からの金融商品の売買注文を発注する処理を行う金融商品売買発注装置において、第１の売買注文を識別するための第１の注文識別情報と、第１の売買注文の内容を示す第１の注文内容情報と、第１の売買注文の発注順序を示す第１の順序情報とを対応付けて記憶するとともに、第１の売買注文の約定が成立したときに発注すべきものとして顧客により予め決められた第２の売買注文を識別するための第２の注文識別情報と、第２の売買注文の内容を示す第２の注文内容情報と、第２の売買注文の発注順序を示す第２の順序情報であって第１の売買注文の発注順序に次ぐ順序を示す第２の順序情報とを対応付けて記憶する記憶手段と、第１の売買注文の発注順序を示す第１の順序情報に対応付けて記憶手段に記憶されている第１の注文識別情報と第１の注文内容情報とを含む注文入力電文を証券取引所に送信することにより、第１の売買注文の発注処理を行う発注手段と、第１の注文識別情報と第１の注文内容情報とを含む注文入力電文が発注手段から送信されることにより発注処理が行われた第１の売買注文についての約定が成立したことを示す約定成立通知であって第１の注文識別情報を含む約定成立通知を証券取引所から受信する約定成立通知受信手段と、約定成立通知受信手段が受信した約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の注文識別情報と第２の注文内容情報とを含む注文入力電文を証券取引所に送信することにより、顧客により予め定められた第２の売買注文の発注処理を行う関連発注手段と、約定成立通知受信手段により第１の注文識別情報を含む約定成立通知が受信されるまで、顧客からの第２の売買注文の発注指示を受け付ける強制発注受付手段と、顧客からの第２の売買注文の発注指示を強制発注受付手段が受けた場合に、第２の売買注文の発注順序を示す第２の順序情報に対応付けて記憶手段に記憶されている第２の注文内容情報と第２の注文識別情報とを含む注文入力電文を証券取引所に送信することにより、顧客から発注指示を受けた第２の売買注文の発注処理を行う強制発注手段とを有する。
【００１０】
記憶手段は、第１の売買注文を識別するための第１の注文識別情報と、第１の売買注文の内容を示す第１の注文内容情報と、第１の売買注文の発注順序を示す第１の順序情報と、第１の売買注文の状況を示す第１の注文状況フラグであって「未発注」の状況を示す第１の注文状況フラグとを対応付けて記憶するとともに、第２の売買注文を識別するための第２の注文識別情報と、第２の売買注文の内容を示す第２の注文内容情報と、第２の売買注文の発注順序を示す第２の順序情報とを対応付けて記憶し、発注手段は、第１の注文識別情報と第１の注文内容情報とを含む注文入力電文を送信することにより第１の売買注文の発注処理を行った場合に、当該第１の注文識別情報に対応付けて記憶手段に記憶されている第１の注文状況フラグを「未発注」を示す情報から「注文中」を示す情報に更新し、約定成立通知受信手段は、第１の注文識別情報を含む約定成立通知を受信した場合に、当該第１の注文識別情報に対応付けて記憶手段に記憶されている第１の注文状況フラグを「注文中」を示す情報から「約定成立」を示す情報に更新し、強制発注受付手段は、記憶手段に記憶されている第１の売買注文を識別するための第１の注文識別情報と、第１の売買注文の内容を示す第１の注文内容情報と、第１の売買注文の発注順序を示す第１の順序情報と、第１の売買注文の状況を示す第１の注文状況フラグと、第２の売買注文の内容を示す第２の注文内容情報と、第２の売買注文の発注順序を示す第２の順序情報とを顧客の端末に送信し、記憶手段に記憶されている第１の売買注文を識別するための第１の注文識別情報と、第１の売買注文の内容を示す第１の注文内容情報と、第１の売買注文の発注順序を示す第１の順序情報と、第１の売買注文の状況を示す第１の注文状況フラグとを対応付けて顧客の端末の表示画面に表示するとともに、記憶手段に記憶されている第２の売買注文の内容を示す第２の注文内容情報と、第２の売買注文の発注順序を示す第２の順序情報とを表示画面に表示し、さらに、第１の注文状況フラグが「未発注」又は「注文中」を示す情報である場合に、第１の注文識別情報を含む顧客からの第２の売買注文の発注指示を受け付けるための強制発注受付用ボタンを表示画面に表示し、強制発注受付用ボタンが操作されることにより第１の注文識別情報を含む顧客からの第２の売買注文の発注指示を顧客の端末から受け付け、強制発注手段は、第１の注文識別情報を含む顧客からの第２の売買注文の発注指示を強制発注受付手段が受けた場合に、当該第１の注文識別情報に対応付けて記憶手段に記憶されている第１の順序情報を検出し、当該第１の順序情報が示す発注順序に次ぐ順序を示す第２の順序情報に対応付けて記憶手段に記憶されている第２の注文識別情報と第２の注文内容情報とを含む注文入力電文を証券取引所に送信することにより、顧客から発注指示を受けた第２の売買注文の発注処理を行う構成としてもよい。
【００１１】
記憶手段は、第１の売買注文を識別するための第１の注文識別情報と、第１の売買注文の内容を示す第１の注文内容情報と、第１の売買注文の発注順序を示す第１の順序情報とを対応付けて記憶するとともに、第２の売買注文を識別するための第２の注文識別情報と、第２の売買注文の内容を示す第２の注文内容情報と、第２の売買注文の発注順序を示す第２の順序情報と、第２の売買注文の状況を示す第２の注文状況フラグであって「未発注」の状況を示す第２の注文状況フラグとを対応付けて記憶し、強制発注手段は、顧客からの第２の売買注文の発注指示を強制発注受付手段が受けた場合に、第２の注文内容情報と第２の注文識別情報とを含む注文入力電文を証券取引所に送信することにより、顧客から発注指示を受けた第２の売買注文の発注処理を行い、当該第２の注文識別情報に対応付けて記憶手段に記憶されている第２の注文状況フラグを「未発注」を示す情報から「注文中」を示す情報に更新し、関連発注手段は、約定成立通知受信手段が受信した約定成立通知に含まれる第１の注文識別情報に対応付けて記憶手段に記憶されている第１の順序情報を検出し、当該第１の順序情報が示す発注順序に次ぐ順序を示す第２の順序情報に対応付けて記憶手段に記憶されている第２の注文状況フラグが「未発注」の状況を示すものである場合に、当該第２の注文状況フラグ及び当該第２の順序情報に対応付けて記憶手段に記憶されている第２の注文識別情報と第２の注文内容情報とを含む注文入力電文を証券取引所に送信することにより、顧客により予め定められた第２の売買注文の発注処理を行う構成としてもよい。
【００１２】
約定成立通知受信手段は、第１の売買注文が約定したことを示す約定成立通知であって第１の注文識別情報と当該第１の売買注文の注文残数量とを含む約定成立通知を証券取引所から受信し、関連発注手段は、約定成立通知受信手段が受信した約定成立通知に含まれる注文残数量が０である場合に、当該約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の注文状況フラグが「未発注」の状況を示すものであるとき、当該第２の注文状況フラグ及び当該第２の順序情報に対応付けて記憶手段に記憶されている第２の注文識別情報と第２の注文内容情報とを含む注文入力電文を証券取引所に送信することにより、顧客により予め定められた第２の売買注文の発注処理を行い、当該第２の注文識別情報に対応付けて記憶手段に記憶されている第２の注文状況フラグを「未発注」を示す情報から「注文中」を示す情報に更新し、強制発注受付手段は、約定成立通知受信手段により第１の注文識別情報と注文残数量とを含む約定成立通知であって当該注文残数量が０である約定成立通知が受信されるまで、顧客からの第２の売買注文の発注指示を受け付ける構成としてもよい。
【００１３】
約定成立通知受信手段は、第１の売買注文が約定したことを示す約定成立通知であって第１の注文識別情報と当該第１の売買注文の注文残数量とを含む約定成立通知を証券取引所から受信し、当該約定成立通知に含まれる注文残数量が０であるとき、当該第１の注文識別情報に対応付けて記憶手段に記憶されている第１の注文状況フラグを「注文中」を示す情報から「約定成立」を示す情報に更新し、関連発注手段は、約定成立通知受信手段が受信した約定成立通知に含まれる注文残数量が０である場合に、当該約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の注文識別情報と第２の注文内容情報とを含む注文入力電文を証券取引所に送信することにより、顧客により予め定められた第２の売買注文の発注処理を行う構成としてもよい。
【００１４】
上記課題を解決するために、本発明の第３の形態においては、顧客からの金融商品の売買注文を発注する処理を行う金融商品売買発注装置において、第１の売買注文を識別するための第１の注文識別情報と、第１の売買注文の内容を示す第１の注文内容情報と、第１の売買注文の発注順序を示す第１の順序情報と、第１の売買注文の状況を示す第１の注文状況フラグであって「未発注」の状況を示す第１の注文状況フラグとを対応付けて記憶するとともに、第１の売買注文の約定が成立したときに発注すべきものとして顧客により予め決められた複数の第２の個別売買注文の各々を識別するための複数の第２の個別注文識別情報と、複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報であって第１の売買注文の発注順序に次ぐ順序を示す第２の順序情報と、複数の第２の個別注文識別情報の各々に対応する複数の第２の個別売買注文の状況を示す複数の第２の個別注文状況フラグであって「未発注」の状況を示す第２の個別注文状況フラグとを第２の個別注文識別情報別に対応付けて記憶する記憶手段と、第１の売買注文の発注順序を示す第１の順序情報に対応付けて記憶手段に記憶されている第１の注文識別情報と第１の注文内容情報とを含む注文入力電文を証券取引所に送信することにより、第１の売買注文の発注処理を行い、当該第１の注文識別情報に対応付けて記憶手段に記憶されている第１の注文状況フラグを「未発注」を示す情報から「注文中」を示す情報に更新する発注手段と、第１の注文識別情報と第１の注文内容情報とを含む注文入力電文が発注手段から送信されることにより発注処理が行われた第１の売買注文についての約定が成立したことを示す約定成立通知であって第１の注文識別情報を含む約定成立通知を証券取引所から受信し、当該約定成立通知に含まれる第１の注文識別情報に対応付けて記憶手段に記憶されている第１の注文状況フラグを「注文中」を示す情報から「約定成立」を示す情報に更新する約定成立通知受信手段と、約定成立通知受信手段が受信した約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行う関連発注手段と、顧客からの第２の個別売買注文の個別発注指示を受け付ける個別強制発注受付手段と、顧客からの第２の個別売買注文の個別発注指示を個別強制発注受付手段が受けた場合に、記憶手段に記憶されている第２の個別注文内容情報と第２の個別注文識別情報とを含む注文入力電文を証券取引所に送信することにより、顧客から個別発注指示を受けた第２の個別売買注文の発注処理を行う個別強制発注手段と、第１の売買注文の注文内容と複数の第２の個別売買注文の注文内容を顧客の端末の表示画面に表示する注文情報提供手段とを有し、注文情報提供手段は、記憶手段に記憶されている第１の売買注文の内容を示す第１の注文内容情報と、第１の売買注文の発注順序を示す第１の順序情報と、第１の売買注文の状況を示す第１の注文状況フラグとを対応付けて表示画面に表示するとともに、複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報と、複数の第２の個別注文識別情報の各々に対応する複数の第２の個別売買注文の状況を示す複数の第２の個別注文状況フラグとを第２の個別注文識別情報別に対応付けて表示画面に表示し、さらに、記憶手段に記憶されている第１の注文状況フラグが「未発注」又は「注文中」を示す情報である場合に、第２の個別売買注文についての個別発注指示を顧客から受け付けるための個別強制発注受付用ボタンを、複数の第２の個別注文内容情報のうち記憶手段で「未発注」を示す第２の個別注文状況フラグに対応付けて記憶されている第２の個別注文内容情報に対応付けて表示画面に表示し、個別強制発注受付手段は、表示画面に表示された個別強制発注受付用ボタンが操作されることにより当該個別強制発注受付用ボタンに対応付けて表示された第２の個別注文内容情報が示す第２の個別売買注文についての個別発注指示を顧客から受け付け、個別強制発注手段は、個別強制発注受付ボタンに対応付けて表示された第２の個別注文内容情報が示す第２の個別売買注文についての個別発注指示を個別強制発注受付手段が受けた場合に、当該第２の個別注文内容情報と当該第２の個別注文内容情報に対応付けて記憶手段に記憶されている第２の個別注文識別情報とを含む注文入力電文を証券取引所に送信することにより、顧客から個別発注指示を受けた第２の個別売買注文の発注処理を行い、当該第２の個別注文識別情報に対応付けて記憶手段に記憶されている第２の個別注文状況フラグを「未発注」を示す情報から「注文中」を示す情報に更新する。
【００１５】
注文情報提供手段は、記憶手段に記憶された第１の売買注文の内容を示す第１の注文内容情報と、第１の売買注文の発注順序を示す第１の順序情報と、第１の売買注文の状況を示す第１の注文状況フラグと、複数の第２の個別売買注文の各々を識別するための複数の第２の個別注文識別情報と、複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報と、複数の第２の個別注文識別情報の各々に対応する複数の第２の個別売買注文の状況を示す複数の第２の個別注文状況フラグとを顧客の端末に送信し、記憶手段に記憶されている第１の売買注文の内容を示す第１の注文内容情報と、第１の売買注文の発注順序を示す第１の順序情報と、第１の売買注文の状況を示す第１の注文状況フラグとを対応付けて表示画面に表示するとともに、複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報と、複数の第２の個別注文識別情報の各々に対応する複数の第２の個別売買注文の状況を示す複数の第２の個別注文状況フラグとを第２の個別注文識別情報別に対応付けて表示画面に表示し、さらに、記憶手段に記憶されている第１の注文状況フラグが「未発注」又は「注文中」を示す情報である場合に、第２の個別売買注文についての個別発注指示であって当該第２の個別売買注文を識別するための第２の個別注文識別情報を含む個別発注指示を顧客から受け付けるための個別強制発注受付用ボタンを、記憶手段で「未発注」を示す第２の個別注文状況フラグに対応付けて記憶されている第２の個別注文内容情報に対応付けて表示画面に表示し、注文情報提供手段により第２の個別注文内容情報に対応付けて表示された、第２の個別売買注文についての個別発注指示を顧客から受け付けるための個別強制発注受付用ボタンは、当該個別強制発注受付用ボタンに対応付けて表示された第２の個別注文内容情報が示す第２の個別売買注文を識別するための第２の個別注文識別情報を含む個別発注指示を個別強制発注受付手段に送信するための送信ボタンであり、個別強制発注手段は、第２の個別注文識別情報を含む個別発注指示を個別強制発注受付手段が受けた場合に、当該第２の個別注文識別情報と当該第２の個別注文識別情報に対応付けて記憶手段に記憶されている第２の個別注文内容情報とを含む注文入力電文を証券取引所に送信することにより、顧客から個別発注指示を受けた第２の個別売買注文の発注処理を行い、当該第２の個別注文識別情報に対応付けて記憶手段に記憶されている第２の個別注文状況フラグを「未発注」を示す情報から「注文中」を示す情報に更新する構成としてもよい。
【００１６】
関連発注手段は、約定成立通知受信手段が受信した約定成立通知に含まれる第１の注文識別情報に対して記憶手段で対応付けされた第１の順序情報を検出し、当該第１の順序情報が示す発注順序に次ぐ順序を示す第２の順序情報に対応付けて記憶手段に記憶されている複数の第２の個別注文状況フラグの中に「未発注」の状況を示すものがある場合に、当該「未発注」を示す第２の個別注文状況フラグ及び当該第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行い、当該注文入力電文に対応する第２の個別注文識別情報の各々に対して記憶手段で対応付けて記憶されている第２の個別注文状況フラグを「未発注」を示す情報から「注文中」を示す情報に更新する構成としてもよい。
【００１７】
関連発注手段は、約定成立通知受信手段が受信した約定成立通知に含まれる第１の注文識別情報に対して記憶手段で対応付けされた第１の順序情報を検出し、当該第１の順序情報が示す発注順序に次ぐ順序を示す第２の順序情報に対応付けて記憶手段に記憶されている複数の第２の個別注文状況フラグの中に「未発注」の状況を示すものがある場合に、当該「未発注」を示す第２の個別注文状況フラグ及び当該第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行い、当該注文入力電文に対応する第２の個別注文識別情報の各々に対して記憶手段で対応付けて記憶されている第２の個別注文状況フラグを「未発注」を示す情報から第１の売買注文の約定に基づく発注に対応する第１の「注文中」を示す情報に更新し、個別強制発注手段は、個別強制発注受付ボタンに対応付けて表示された第２の個別注文内容情報が示す第２の個別売買注文についての個別発注指示を個別強制発注受付手段が受けた場合に、当該第２の個別注文内容情報と当該第２の個別注文内容情報に対応付けて記憶手段に記憶されている第２の個別注文識別情報とを含む注文入力電文を証券取引所に送信することにより、顧客から個別発注指示を受けた第２の個別売買注文の発注処理を行い、当該第２の個別注文識別情報に対応付けて記憶手段に記憶されている第２の個別注文状況フラグを「未発注」を示す情報から顧客からの発注指示に基づく発注に対応する第２の「注文中」を示す情報に更新し、注文情報提供手段は、記憶手段に対応付けて記憶されている第２の個別注文内容情報と第２の順序情報と第２の個別注文状況フラグとを表示画面に対応付けて表示する場合に、第２の個別注文状況フラグが第１の売買注文の約定に基づく発注に対応する第１の「注文中」を示す情報である場合と顧客からの発注指示に基づく発注に対応する第２の「注文中」を示す情報である場合とで当該第２の個別注文状況フラグの表示を異なる表示とする構成としてもよい。
【００１８】
約定成立通知受信手段は、第１の売買注文が約定したことを示す約定成立通知であって第１の注文識別情報と当該第１の売買注文の注文残数量とを含む約定成立通知を証券取引所から受信し、当該約定成立通知に含まれる注文残数量が０であるとき、当該第１の注文識別情報に対応付けて記憶手段に記憶されている第１の注文状況フラグを「注文中」を示す情報から「約定成立」を示す情報に更新し、関連発注手段は、約定成立通知受信手段が受信した約定成立通知に含まれる注文残数量が０である場合に、当該約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている複数の第２の個別注文状況フラグの中に「未発注」の状況を示すものがあるとき、当該「未発注」を示す第２の個別注文状況フラグ及び当該第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行い、当該注文入力電文に対応する第２の個別注文識別情報の各々に対して記憶手段で対応付けて記憶されている第２の個別注文状況フラグを「未発注」を示す情報から「注文中」を示す情報に更新する構成としてもよい。
【００１９】
上記課題を解決するために、本発明の第４の形態においては、顧客からの金融商品の売買注文を発注する処理を行う金融商品売買発注装置において、第１の売買注文を識別するための第１の注文識別情報と、第１の売買注文の内容を示す第１の注文内容情報と、第１の売買注文の発注順序を示す第１の順序情報と、第１の売買注文の状況を示す第１の注文状況フラグであって「未発注」の状況を示す第１の注文状況フラグとを対応付けて記憶するとともに、第１の売買注文の約定が成立したときに発注すべきものとして顧客により予め決められた複数の第２の個別売買注文の各々を識別するための複数の第２の個別注文識別情報と、複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報であって第１の売買注文の発注順序に次ぐ順序を示す第２の順序情報と、複数の第２の個別注文識別情報の各々に対応する複数の第２の個別売買注文の状況を示す複数の第２の個別注文状況フラグであって「未発注」の状況を示す第２の個別注文状況フラグとを第２の個別注文識別情報別に対応付けて記憶する記憶手段と、第１の売買注文の発注順序を示す第１の順序情報に対応付けて記憶手段に記憶されている第１の注文識別情報と第１の注文内容情報とを含む注文入力電文を証券取引所に送信することにより、第１の売買注文の発注処理を行い、当該第１の注文識別情報に対応付けて記憶手段に記憶されている第１の注文状況フラグを「未発注」を示す情報から「注文中」を示す情報に更新する発注手段と、第１の注文識別情報と第１の注文内容情報とを含む注文入力電文が発注手段から送信されることにより発注処理が行われた第１の売買注文についての約定が成立したことを示す約定成立通知であって第１の注文識別情報を含む約定成立通知を証券取引所から受信し、当該約定成立通知に含まれる第１の注文識別情報に対応付けて記憶手段に記憶されている第１の注文状況フラグを「注文中」を示す情報から「約定成立」を示す情報に更新する約定成立通知受信手段と、約定成立通知受信手段が受信した約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行う関連発注手段と、顧客からの第２の個別売買注文の一括発注指示を受け付ける一括強制発注受付手段と、顧客からの第２の個別売買注文の一括発注指示を一括強制発注受付手段が受けた場合に、記憶手段に記憶されている第２の個別注文内容情報と第２の個別注文識別情報とを含む注文入力電文を証券取引所に送信することにより、顧客から一括発注指示を受けた第２の個別売買注文の発注処理を行う一括強制発注手段と、第１の売買注文の注文内容と複数の第２の個別売買注文の注文内容を顧客の端末の表示画面に表示する注文情報提供手段とを有し、注文情報提供手段は、記憶手段に記憶されている第１の売買注文の内容を示す第１の注文内容情報と、第１の売買注文の発注順序を示す第１の順序情報と、第１の売買注文の状況を示す第１の注文状況フラグとを対応付けて表示画面に表示するとともに、記憶手段に記憶されている複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報と、複数の第２の個別注文識別情報の各々に対応する複数の第２の個別売買注文の状況を示す複数の第２の個別注文状況フラグとを第２の個別注文識別情報別に対応付けて表示画面に表示し、さらに、記憶手段に記憶されている第１の注文状況フラグが「未発注」又は「注文中」を示す情報である場合に、記憶手段に記憶されている複数の第２の個別注文状況フラグの中に「未発注」の状況を示すものがあるときに、第２の個別売買注文についての一括発注指示を顧客から受け付けるための一括強制発注受付用ボタンを第１の注文内容情報に対応付けて表示画面に表示し、一括強制発注受付手段は、表示画面に表示された一括強制発注受付用ボタンが操作されることにより表示画面に表示された第２の個別注文内容情報が示す第２の個別売買注文についての一括発注指示を顧客から受け付け、一括強制発注手段は、表示画面に表示された第２の個別注文内容情報が示す第２の個別売買注文についての一括発注指示を一括強制発注受付手段が受けた場合に、一括発注指示を受けた当該第２の個別売買注文の内容を示す第２の個別注文内容情報の各々に対応する注文入力電文であって当該第２の個別注文内容情報と当該第２の個別注文内容情報に対応付けて記憶手段に記憶されている第２の個別注文識別情報とを含む注文入力電文を証券取引所に送信することにより、顧客から一括発注指示を受けた第２の個別売買注文の発注処理を行い、当該注文入力電文に対応する第２の個別注文識別情報の各々に対して記憶手段で対応付けて記憶されている第２の個別注文状況フラグを「未発注」を示す情報から「注文中」を示す情報に更新する。
【００２０】
注文情報提供手段は、記憶手段に記憶されている第１の売買注文を識別するための第１の注文識別情報と、第１の売買注文の内容を示す第１の注文内容情報と、第１の売買注文の発注順序を示す第１の順序情報と、第１の売買注文の状況を示す第１の注文状況フラグと、複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報と、複数の第２の個別注文識別情報の各々に対応する複数の第２の個別売買注文の状況を示す複数の第２の個別注文状況フラグとを顧客の端末に送信し、記憶手段に記憶されている第１の売買注文の内容を示す第１の注文内容情報と、第１の売買注文の発注順序を示す第１の順序情報と、第１の売買注文の状況を示す第１の注文状況フラグとを対応付けて表示画面に表示するとともに、記憶手段に記憶されている複数の第２の個別注文識別情報の各々に対応する複数の第２の個別売買注文の内容を示す複数の第２の個別注文内容情報と、複数の第２の個別注文識別情報の各々に対応する複数の第２の個別売買注文の発注順序を示す第２の順序情報と、複数の第２の個別注文識別情報の各々に対応する複数の第２の個別売買注文の状況を示す複数の第２の個別注文状況フラグとを第２の個別注文識別情報別に対応付けて表示画面に表示し、さらに、記憶手段に記憶されている第１の注文状況フラグが「未発注」又は「注文中」を示す情報である場合に、記憶手段に記憶されている複数の第２の個別注文状況フラグの中に「未発注」の状況を示すものがあるときに、第２の個別売買注文についての一括発注指示であって第１の注文識別情報を含む一括発注指示を顧客から受け付けるための一括強制発注受付用ボタンを第１の注文内容情報に対応付けて表示画面に表示し、注文情報提供手段により第１の注文内容情報に対応付けて表示された、第２の個別売買注文についての一括発注指示を顧客から受け付けるための一括強制発注受付用ボタンは、当該一括強制発注受付用ボタンに対応付けて表示された第１の注文内容情報が示す第１の売買注文を識別するための第１の注文識別情報を含む一括発注指示を一括強制発注受付手段に送信するための送信ボタンであり、一括強制発注手段は、第１の注文識別情報を含む一括発注指示を一括強制発注受付手段が受けた場合に、当該第１の注文識別情報に対応付けて記憶手段に記憶されている第１の順序情報を検出し、当該第１の順序情報が示す発注順序に次ぐ順序を示す第２の順序情報に対応付けて記憶手段に記憶されている複数の第２の個別注文状況フラグの中に「未発注」の状況を示すものがあるとき、当該「未発注」を示す第２の個別注文状況フラグ及び当該第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客から一括発注指示を受けた第２の個別売買注文の発注処理を行い、当該注文入力電文に対応する第２の個別注文識別情報の各々に対して記憶手段で対応付けて記憶されている第２の個別注文状況フラグを「未発注」を示す情報から「注文中」を示す情報に更新する構成としてもよい。
【００２１】
関連発注手段は、約定成立通知受信手段が受信した約定成立通知に含まれる第１の注文識別情報に対して記憶手段で対応付けされた第１の順序情報を検出し、当該第１の順序情報が示す発注順序に次ぐ順序を示す第２の順序情報に対応付けて記憶手段に記憶されている複数の第２の個別注文状況フラグの中に「未発注」の状況を示すものがある場合に、当該「未発注」を示す第２の個別注文状況フラグ及び当該第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行い、当該注文入力電文に対応する第２の個別注文識別情報の各々に対して記憶手段で対応付けて記憶されている第２の個別注文状況フラグを「未発注」を示す情報から「注文中」を示す情報に更新する構成としてもよい。
【００２２】
関連発注手段は、約定成立通知受信手段が受信した約定成立通知に含まれる第１の注文識別情報に対して記憶手段で対応付けされた第１の順序情報を検出し、当該第１の順序情報が示す発注順序に次ぐ順序を示す第２の順序情報に対応付けて記憶手段に記憶されている複数の第２の個別注文状況フラグの中に「未発注」の状況を示すものがある場合に、当該「未発注」を示す第２の個別注文状況フラグ及び当該第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行い、当該注文入力電文に対応する第２の個別注文識別情報の各々に対して記憶手段で対応付けて記憶されている第２の個別注文状況フラグを「未発注」を示す情報から第１の売買注文の約定に基づく発注に対応する第１の「注文中」を示す情報に更新し、一括強制発注手段は、表示画面に表示された第２の個別注文内容情報が示す第２の個別売買注文についての一括発注指示を一括強制発注受付手段が受けた場合に、一括発注指示を受けた当該第２の個別売買注文の内容を示す第２の個別注文内容情報の各々に対応する注文入力電文であって当該第２の個別注文内容情報と当該第２の個別注文内容情報に対応付けて記憶手段に記憶されている第２の個別注文識別情報とを含む注文入力電文を証券取引所に送信することにより、顧客から一括発注指示を受けた第２の個別売買注文の発注処理を行い、当該注文入力電文に対応する第２の個別注文識別情報の各々に対して記憶手段で対応付けて記憶されている第２の個別注文状況フラグを「未発注」を示す情報から顧客からの発注指示に基づく発注に対応する第２の「注文中」を示す情報に更新し、注文情報提供手段は、記憶手段に対応付けて記憶されている第２の個別注文内容情報と第２の順序情報と第２の個別注文状況フラグとを表示画面に対応付けて表示する場合に、第２の個別注文状況フラグが第１の売買注文の約定に基づく発注に対応する第１の「注文中」を示す情報である場合と顧客からの発注指示に基づく発注に対応する第２の「注文中」を示す情報である場合とで当該第２の個別注文状況フラグの表示を異なる表示とする構成としてもよい。
【００２３】
約定成立通知受信手段は、第１の売買注文が約定したことを示す約定成立通知であって第１の注文識別情報と当該第１の売買注文の注文残数量とを含む約定成立通知を証券取引所から受信し、当該約定成立通知に含まれる注文残数量が０であるとき、当該第１の注文識別情報に対応付けて記憶手段に記憶されている第１の注文状況フラグを「注文中」を示す情報から「約定成立」を示す情報に更新し、関連発注手段は、約定成立通知受信手段が受信した約定成立通知に含まれる注文残数量が０である場合に、当該約定成立通知に含まれる第１の注文識別情報に対して記憶手段で対応付けされている第１の順序情報を検出し、当該第１の順序情報が示す発注順序に次ぐ順序を示す第２の順序情報に対応付けて記憶手段に記憶されている複数の第２の個別注文状況フラグの中に「未発注」の状況を示すものがあるとき、当該「未発注」を示す第２の個別注文状況フラグ及び当該第２の順序情報に対応付けて記憶手段に記憶されている第２の個別注文識別情報の各々に対応する注文入力電文であって当該第２の個別注文識別情報と当該第２の個別注文識別情報に対応付けて記憶手段に記憶されている第２の個別注文内容情報とを含む注文入力電文を証券取引所に送信することにより、顧客により予め定められた第２の個別売買注文の発注処理を行い、当該注文入力電文に対応する第２の個別注文識別情報の各々に対して記憶手段で対応付けて記憶されている第２の個別注文状況フラグを「未発注」を示す情報から「注文中」を示す情報に更新する構成としてもよい。
【００２４】
本発明の第５の形態は、コンピュータを、上記本発明の第１から第４の何れかの金融商品売買発注装置として機能させるためのプログラムである。
【００２５】
なお、上記の発明の概要は、本発明の必要な特徴の全てを列挙したものではなく、これらの特徴群のサブコンビネーションもまた、発明となり得る。
【発明の効果】
【００２６】
本発明によれば、第１の売買注文の約定が成立する前であっても、顧客からの発注指示に基づき、第１の売買注文の次に発注すべきものとして顧客により予め決められていた第２の売買注文の発注処理を行うことができる金融商品売買発注装置及びプログラムを提供することができる。
【発明を実施するための最良の形態】
【００２７】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【実施例１】
【００２８】
図１は、サーバ１０を含むシステムの概要を例示するシステム概要図である。サーバ１０は、顧客からの金融商品の売買注文を発注する処理を行う金融商品売買発注装置の一例であり、例えば証券会社により管理される。金融商品の一例は株式であるが、これに限らず、他の有価証券等であってもよい。このサーバ１０は、ネットワーク４０を介して顧客の端末２０と通信し、ネットワーク４２を介して証券取引所のコンピュータ３０と通信する。ここで、ネットワーク４０は例えばインターネットであってもよく、ネットワーク４２は例えば専用線又は専用回線であってもよい。
【００２９】
金融商品の売買注文を発注する処理を行うため、サーバ１０は、顧客からの株式売買注文に関する注文内容情報の入力を受け付ける入力用ウェブページを格納し、当該ウェブページをネットワーク４０上に公開する。例えば、顧客は端末２０によりネットワーク４０を通じて証券会社のホームページにアクセスしてユーザＩＤを入力することで、注文内容情報の入力を受け付けるウェブページや注文状況画面のウェブページを端末２０に表示することができるようになっている。端末２０は、ブラウザにより表示された入力用ウェブページにおいて顧客によって入力された株式売買注文に関する注文内容情報をサーバ１０に送信する。なお、ユーザＩＤをアクセス毎に入力する顧客負担を軽減するため、ブラウザのクッキーを用いて端末２０によるサーバ１０へのアクセス時にユーザＩＤを自動的にサーバ１０に送信するようにしてもよい。サーバ１０は、端末２０から受信した株式売買注文に関する注文内容情報を含む注文入力電文を所定の形式で作成し、この注文入力電文をネットワーク４２を通じて証券取引所の証券取引の処理を行うコンピュータ３０に送信することで売買注文の発注処理を行う。
【００３０】
図２は、サーバ１０のブロック構成の一例を示すブロック図である。サーバ１０は金融商品の連続注文を取り扱う。このサーバ１０は、記憶手段１００と、発注手段１１０と、約定成立通知受信手段１２０と、関連発注手段１３０と、強制発注受付手段１４０と、強制発注手段１５０と、注文情報提供手段１６０と、これらの手段１１０〜１６０を制御する不図示の制御手段とを備える。強制発注受付手段１４０は、個別強制発注受付手段１４２および一括強制発注受付手段１４４を有する。強制発注手段１５０は、個別強制発注手段１５２および一括強制発注手段１５４を有する。なお、連続注文の発注における「親注文」は第１の売買注文の一例であり、「子注文」は第２の売買注文の一例であり、連続注文では親注文の約定成立により子注文の発注処理が行われる。
【００３１】
記憶手段１００は、親注文および子注文に関する情報を記憶する。この記憶手段１００は、親注文を識別するための親注文ＩＤと、親注文の内容を示す親注文内容情報と、親注文の発注順序を示す親発注順序情報と、親注文の状況を示す親注文状況フラグとを対応付けて記憶する。また、記憶手段１００は、親注文の約定が成立したときに発注すべきものとして顧客により予め決められた複数の子注文の各々を識別するための複数の子注文ＩＤと、当該複数の子注文ＩＤの各々に対応する複数の子注文の内容を示す複数の子注文内容情報と、当該複数の子注文ＩＤの各々に対応する複数の子注文の発注順序を示す発注順序情報であって親注文の発注順序に次ぐ順序を示す子発注順序情報と、当該複数の子注文ＩＤの各々に対応する複数の子注文の状況を示す複数の子注文状況フラグとを対応付けて記憶する。記憶手段１００に記憶される情報については、図３を用いてさらに説明する。
【００３２】
発注手段１１０は、記憶手段１００に対応付けて記憶されている親注文ＩＤと親注文内容情報とを含む注文入力電文を証券取引所のコンピュータ３０に送信することにより、親注文の発注処理を行う。発注手段１１０は上記発注処理を行った場合に、当該親注文ＩＤに対応付けて記憶手段１００に記憶されている親注文状況フラグを「未発注」（０）を示す情報から「注文中」（４）を示す情報に更新する。
【００３３】
約定成立通知受信手段１２０は、親注文ＩＤと親注文内容情報とを含む注文入力電文が発注手段１１０から送信されることにより発注処理が行われた親注文についての約定が成立したことを示す約定成立通知であって、親注文ＩＤと当該親注文の注文残数量とを含む約定成立通知を証券取引所のコンピュータ３０から受信する。そして、約定成立通知受信手段１２０は、当該約定成立通知に含まれる注文残数量が０であるとき、当該約定成立通知に含まれる親注文ＩＤに対応付けて記憶手段１００に記憶されている親注文状況フラグを、「注文中」（４）を示す情報から「約定成立」（３）を示す情報に更新する。
【００３４】
関連発注手段１３０は、約定成立通知受信手段１２０が受信した約定成立通知に含まれる注文残数量が０である場合に、当該約定成立通知に含まれる親注文ＩＤに対して記憶手段１００で対応付けされた親発注順序情報「１」を検出し、当該親発注順序情報が示す発注順序１に次ぐ順序２を示す子発注順序情報「２」に対応付けて記憶手段１００に記憶されている複数の子注文状況フラグの中に「未発注」（９）（即ち「予約」）の状況を示すものがあるかどうかを検知する。「未発注」（９）の状況を示すものを検知した場合に、関連発注手段１３０は、当該「未発注」（９）を示す子注文状況フラグ及び当該子発注順序情報「２」に対応付けて記憶手段１００に記憶されている子注文ＩＤの各々に対応する注文入力電文であって当該子注文ＩＤと当該子注文ＩＤに対応付けて記憶手段１００に記憶されている子注文内容情報とを含む注文入力電文を証券取引所のコンピュータ３０に送信することにより、顧客により予め定められた子注文の発注処理を行う。これにより連続注文が行われる。そして、関連発注手段１３０は、当該注文入力電文に対応する子注文ＩＤの各々に対して記憶手段１００で対応付けて記憶されている子注文状況フラグを「未発注」（９）を示す情報から親注文の約定成立に基づく発注に対応する「注文中」（２）を示す情報に更新する。
【００３５】
注文情報提供手段１６０は、親注文の注文内容と複数の子注文の注文内容を顧客の端末２０の表示画面に表示する。具体的には、注文情報提供手段１６０は、記憶手段１００に記憶された親注文を識別するための親注文ＩＤと、親注文の内容を示す親注文内容情報と、親注文の発注順序１を示す親発注順序情報「１」と、親注文の状況を示す親注文状況フラグとを顧客の端末２０に送信する。また、注文情報提供手段１６０は、上記親注文に対応付けられた複数の子注文の各々を識別するための複数の子注文ＩＤと、当該複数の子注文ＩＤの各々に対応する複数の子注文の内容を示す複数の子注文内容情報と、当該複数の子注文ＩＤの各々に対応する複数の子注文の発注順序２を示す子発注順序情報「２」と、当該複数の子注文ＩＤの各々に対応する複数の子注文の状況を示す複数の子注文状況フラグとを顧客の端末２０に送信する。そして、注文情報提供手段１６０は、記憶手段１００に記憶されている親注文の内容を示す親注文内容情報と、親注文の発注順序１を示す親発注順序情報「１」と、親注文の状況を示す親注文状況フラグとを対応付けて端末２０の表示画面に表示するとともに、複数の子注文ＩＤの各々に対応する複数の子注文の内容を示す複数の子注文内容情報と、当該複数の子注文ＩＤの各々に対応する複数の子注文の発注順序２を示す子発注順序情報「２」と、当該複数の子注文ＩＤの各々に対応する複数の子注文の状況を示す複数の子注文状況フラグとを子注文ＩＤ別に対応付けて端末２０の表示画面に表示する。
【００３６】
さらに、注文情報提供手段１６０は、記憶手段１００に記憶されている親注文状況フラグが「未発注」（０）又は「注文中」（４）を示す情報である場合に、子注文についての個別発注指示を顧客から受け付けるための個別強制発注受付用ボタンを、複数の子注文内容情報のうち記憶手段１００で「未発注」（９）を示す子注文状況フラグに対応付けて記憶されている子注文内容情報に対応付けて端末２０の表示画面に表示する。例えば、注文情報提供手段１６０は、記憶手段１００に記憶されている親注文状況フラグが「未発注」（０）又は「注文中」（４）を示す情報である場合に、子注文についての個別発注指示であって当該子注文を識別するための子注文ＩＤを含む個別発注指示を顧客から受け付けるための個別強制発注受付用ボタンを、記憶手段１００で「未発注」（９）を示す子注文状況フラグに対応付けて記憶されている子注文内容情報に対応付けて端末２０の表示画面に表示する。ここで、注文情報提供手段１６０により子注文内容情報に対応付けて表示された、子注文についての個別発注指示を顧客から受け付けるための当該個別強制発注受付用ボタンは、当該個別強制発注受付用ボタンに対応付けて表示された子注文内容情報が示す子注文を識別するための子注文ＩＤを含む個別発注指示を個別強制発注受付手段１４２に送信するための送信ボタンである。
【００３７】
さらに、注文情報提供手段１６０は、記憶手段１００に記憶されている親注文状況フラグが「未発注」（０）又は「注文中」（４）を示す情報である場合に、記憶手段１００に記憶されている子注文状況フラグの中に「未発注」（９）の状況を示すものがあるときに、子注文についての一括発注指示を顧客から受け付けるための一括強制発注受付用ボタンを親注文内容情報に対応付けて端末２０の表示画面に表示する。例えば、注文情報提供手段１６０は、記憶手段１００に記憶されている親注文状況フラグが「未発注」（０）又は「注文中」（４）を示す情報である場合に、記憶手段１００に記憶されている複数の子注文状況フラグの中に「未発注」（９）の状況を示すものがあるときに、子注文についての一括発注指示であって親注文ＩＤを含む一括発注指示を顧客から受け付けるための一括強制発注受付用ボタンを親注文内容情報に対応付けて端末２０の表示画面に表示する。ここで、注文情報提供手段１６０により親注文内容情報に対応付けて表示された、子注文についての一括発注指示を顧客から受け付けるための当該一括強制発注受付用ボタンは、当該一括強制発注受付用ボタンに対応付けて表示された親注文内容情報が示す親注文を識別するための親注文ＩＤを含む一括発注指示を一括強制発注受付手段１４４に送信するための送信ボタンである。このように子注文の一括発注指示を行う場合に親注文の注文ＩＤを送信することで、当該親注文に係る複数の子注文の各注文ＩＤを送信する場合に比べて送信データ量を減らすことができ、これにより一括発注指示から注文発注処理までの時間を短縮することができるようになっている。
【００３８】
また、注文情報提供手段１６０は、記憶手段１００に対応付けて記憶されている子注文内容情報と子発注順序情報と子注文状況フラグとを端末２０の表示画面に対応付けて表示する場合に、子注文状況フラグが親注文の約定成立に基づく発注に対応する第１の「注文中」（２）を示す情報である場合と顧客からの発注指示に基づく発注に対応する第２の「注文中」（１，５）を示す情報である場合とで当該子注文状況フラグの表示を異なる表示とする。例えば、注文情報提供手段１６０は、子注文状況フラグが親注文の約定成立に基づく発注に対応する第１の「注文中」（２）を示す情報である場合には当該子注文の状況として「連続中」と表示し、顧客からの発注指示に基づく発注に対応する第２の「注文中」（１，５）を示す情報である場合には当該子注文の状況として「注文中」と表示してもよい。
【００３９】
個別強制発注受付手段１４２は、子注文ＩＤを含む顧客からの子注文の個別発注指示を受け付ける。例えば、個別強制発注受付手段１４２は、端末２０の表示画面に子注文の注文内容情報に対応付けて表示された個別強制発注受付用ボタンが操作されることにより、一例としてマウス等のポインティングデバイスでクリック操作されることにより、当該個別強制発注受付用ボタンに対応付けて表示された子注文内容情報が示す子注文についての顧客からの個別発注指示であって当該子注文の注文ＩＤを含む個別発注指示を顧客の端末２０からネットワーク４０を通じて受け付ける。
【００４０】
一括強制発注受付手段１４４は、顧客から子注文の一括発注指示を受け付ける。例えば、一括強制発注受付手段１４４は、端末２０の表示画面に親注文の注文内容情報に対応付けて表示された一括強制発注受付用ボタンが操作されることにより、一例としてマウス等のポインティングデバイスでクリック操作されることにより、当該親注文に係る子注文についての顧客からの一括発注指示であって親注文の注文ＩＤを含む一括発注指示を顧客の端末２０からネットワーク４０を通じて受け付ける。
【００４１】
なお、個別強制発注受付手段１４２および一括強制発注受付手段１４４は、約定成立通知受信手段１２０により親注文ＩＤを含む約定成立通知が受信されるまで、顧客から子注文の発注指示を受け付ける。具体的には、個別強制発注受付手段１４２および一括強制発注受付手段１４４は、約定成立通知受信手段１２０により親注文ＩＤと注文残数量とを含む約定成立通知であって当該注文残数量が０である約定成立通知が受信されるまで、顧客から子注文の発注指示を受け付けることが好ましい。
【００４２】
個別強制発注手段１５２は、親注文の約定成立通知の受信前に個別強制発注受付手段１４２が顧客から子注文の個別発注指示を受けた場合に、当該子注文を発注する処理を行う。すなわち、個別強制発注手段１５２は、個別強制発注受付手段１４２が個別強制発注受付ボタンに対応付けて表示された子注文内容情報が示す子注文についての個別発注指示であって当該子注文の注文ＩＤを含む個別発注指示を顧客から受けた場合に、当該子注文の注文ＩＤと当該注文ＩＤに対応付けて記憶手段１００に記憶されている子注文内容情報とを含む注文入力電文を作成し、証券取引所のコンピュータ３０に送信することにより、顧客から個別発注指示を受けた子注文の発注処理を行う。
【００４３】
そして、個別強制発注手段１５２は、当該子注文ＩＤに対応付けて記憶手段１００に記憶されている子注文状況フラグを「未発注」（即ち「予約」）を示す情報から「注文中」を示す情報に更新する。この場合、個別強制発注手段１５２は、当該子注文ＩＤに対応付けて記憶手段１００に記憶されている子注文状況フラグを「未発注」（９）を示す情報から顧客の個別発注指示に基づく発注に対応する第２の「注文中」（５）を示す情報に更新する。
【００４４】
一括強制発注手段１５４は、親注文の約定成立通知の受信前に顧客から子注文の一括発注指示を一括強制発注受付手段１４４が受けた場合に、当該子注文を一括して発注する処理を行う。すなわち、一括強制発注手段１５４は、一括強制発注受付手段１４４が端末２０の表示画面に表示された親注文に対応する子注文について、顧客から親注文ＩＤを含む一括発注指示を受けた場合に、記憶手段１００に記憶されている子注文内容情報と子注文ＩＤとを含む注文入力電文を証券取引所のコンピュータ３０に送信することにより、顧客から一括発注指示を受けた子注文の発注処理を行う。この場合に、一括強制発注手段１５４は、顧客からの一括発注指示に含まれる当該親注文の注文ＩＤに対応付けて記憶手段１００に記憶されている親発注順序情報「１」を検出し、当該親発注順序情報「１」が示す発注順序１に次ぐ順序２を示す子発注順序情報「２」に対応付けて記憶手段１００に記憶されている複数の子注文状況フラグの中に「未発注」（９）の状況を示すものがあるか否かを検索する。その結果、複数の子注文状況フラグの中に「未発注」（９）の状況を示すものがあるとき、一括強制発注手段１５４は、当該「未発注」（９）を示す子注文状況フラグ及び当該子発注順序情報「２」に対応付けて記憶手段１００に記憶されている子注文ＩＤの各々に対応する注文入力電文であって当該子注文ＩＤと当該子注文ＩＤに対応付けて記憶手段１００に記憶されている子注文内容情報とを含む注文入力電文を作成し、証券取引所のコンピュータ３０に送信することにより、顧客から一括発注指示を受けた子注文の発注処理を行う。
【００４５】
そして、一括強制発注手段１５４は、当該注文入力電文に対応する子注文ＩＤの各々に対して記憶手段１００で対応付けて記憶されている子注文状況フラグを「未発注」を示す情報から「注文中」を示す情報に更新する。この場合、一括強制発注手段１５４は、当該注文入力電文に対応する子注文ＩＤの各々に対して記憶手段１００で対応付けて記憶されている子注文状況フラグを、「未発注」（９）を示す情報から顧客の一括発注指示に基づく発注に対応する第２の「注文中」（１）を示す情報に更新する。
【００４６】
なお、記憶媒体５０は、記憶手段１００、発注手段１１０、約定成立通知受信手段１２０、関連発注手段１３０、強制発注受付手段１４０、強制発注手段１５０、注文情報提供手段１６０及び制御手段の処理動作をコンピュータに行わせるためのプログラムを格納する。コンピュータを有するサーバ１０は、記憶媒体５０に格納された上記プログラムをインストールすることにより、上記手段１００〜１６０及び制御手段の処理動作をコンピュータに行わせるようにしてもよい。さらに他の方法として、サーバ１０は、そのようなプログラムをネットワークを介して取得してもよい。
【００４７】
図３は、記憶手段１００に記憶される情報の一例を示す説明図である。記憶手段１００は、注文ＩＤに対応付けて、ユーザＩＤ、親子情報、注文内容情報、注文状況ＦＬＧ（注文状況フラグ）および発注順序情報を記憶する。例えば、記憶手段１００は、リレーショナル・データベース（ＲＤＢ）を用いて構成してもよく、注文ＩＤを記憶するための注文ＩＤフィールドと、ユーザＩＤを記憶するためのユーザＩＤフィールドと、親子情報を記憶するための親子情報フィールドと、注文内容情報を記憶するための注文内容情報フィールドと、注文状況ＦＬＧを記憶するための注文状況ＦＬＧフィールドと、発注順序情報を記憶するための発注順序情報フィールドをレコード毎に設け、同一レコードに記憶された注文ＩＤ、ユーザＩＤ、親子情報、注文内容情報、注文状況ＦＬＧ及び発注順序情報を互いに対応付けるようにしてもよい。
【００４８】
記憶手段１００は、売買注文の注文ＩＤとして、当該売買注文が親注文であるときは当該親注文の注文ＩＤを記憶し、当該売買注文が子注文であるときは当該子注文の注文ＩＤを記憶する。例えば、顧客の端末２０から売買注文の入力用ウェブページを通じて注文内容情報を受信した場合に、サーバ１０は顧客からの注文を計数するためのカウンタをカウントアップしてそのカウント値を当該注文を識別するための注文ＩＤとして用いる構成としてもよい。なお、注文ＩＤの値は、親注文ＩＤであるか子注文ＩＤであるか区別可能な値を用いるようにしてもよい。
【００４９】
記憶手段１００は、親子情報として、連続注文における親注文と子注文の関係を示す情報を格納する。この場合に、記憶手段１００は、当該売買注文が子注文であるときは、その親注文の注文ＩＤ（発注順序が１つだけ上位の注文の注文ＩＤ）を親子情報として記憶する。一方、記憶手段１００は、当該注文が親注文であるときは、親子情報としてＮＵＬＬ（ヌル）を記憶する。図３に示す例において、記憶手段１００は、注文ＩＤ「Ａ０００１」に対応付けて、当該注文が親注文であることを示す親子情報「ＮＵＬＬ」を記憶している。また、記憶手段１００は、注文ＩＤ「Ａ０００２」に対応付けて親子情報「Ａ０００１」を記憶しており、注文ＩＤ「Ａ０００３」に対応付けて親子情報「Ａ０００１」を記憶しており、これにより、当該注文ＩＤ「Ａ０００２」および「Ａ０００３」の注文が、それぞれ注文ＩＤが「Ａ０００１」である親注文に係る子注文であることを示している。
【００５０】
記憶手段１００は、注文内容情報として、親注文内容情報または子注文内容情報を記憶する。それぞれの注文内容情報には、銘柄識別情報、売買区分、数量および注文値段が含まれている。注文値段としては、指値注文のときは指値を用い、成行注文のときは成行を示す情報を用いる。銘柄識別情報としては銘柄コードを用いてもよく、銘柄コードと銘柄名とを対応付けた銘柄テーブルを参照して顧客が入力した銘柄コードから銘柄名を検出して銘柄コードと銘柄名を銘柄識別情報として用いてもよい。なお、図３では注文内容情報を簡略化して示している。ユーザＩＤについては、例えば顧客が端末２０に入力した注文内容情報を端末２０から送信する際に顧客認証用にユーザＩＤを入力するようにしてユーザＩＤと注文内容情報を受信したサーバ１０がユーザＩＤと注文内容情報を記憶手段１００の同一レコードに記憶するようにしてもよく、顧客が証券会社のホームページ上で入力したユーザＩＤを端末２０からサーバ１０が受け取ると端末２０のブラウザのクッキーにユーザＩＤを書き込んで保存し、サーバ１０へのアクセス毎にクッキーを用いてユーザＩＤをサーバ１０に送信するようにし、ユーザＩＤと注文内容情報を受信したサーバ１０がユーザＩＤと注文内容情報を記憶手段１００の同一レコードに記憶するようにしてもよい。
【００５１】
記憶手段１００は、注文状況ＦＬＧとして、親注文状況フラグまたは子注文状況フラグを記憶する。図３において、注文状況フラグ「０」は親注文が「未発注」の状況であることを示すフラグである。また、注文状況フラグ「１」は当該注文（子注文）が顧客からの一括発注指示により強制発注されて「注文中」の状況であることを示すフラグである。さらに、注文状況フラグ「２」は当該注文（子注文）が連続注文の発注により「注文中」（即ち「連続中」）の状況であることを示すフラグであり、注文状況フラグ「３」は当該注文が「約定成立」の状況であることを示すフラグであり、注文状況フラグ「４」は当該注文（親注文）が「注文中」の状況であることを示すフラグであり、注文状況フラグ「５」は当該注文（子注文）が顧客からの個別発注指示により強制発注されて「注文中」の状況であることを示すフラグであり、注文状況フラグ「９」は当該注文（子注文）が「未発注」（即ち「予約」）の状況であることを示すフラグである。この場合に、記憶手段１００は、顧客から親注文の注文内容情報を受け取って記憶するときの未発注の当該親注文に対するデフォルト値として注文状況フラグ「０」を記憶し、顧客から子注文の注文内容情報を受け取って記憶するときの未発注の当該子注文に対するデフォルト値として注文状況フラグ「９」を記憶する。
【００５２】
記憶手段１００は、発注順序情報として、親発注順序情報または子発注順序情報を記憶する。発注順序情報の値は、親発注順序情報であるか子発注順序情報であるかを区別可能な値を用いてもよい。図３において、記憶手段１００は、親注文に対する発注順序情報として「１」を記憶し、子注文に対する発注順序情報として「２」を記憶しており、注文ＩＤが「Ａ０００１」の注文はその発注順序情報が「１」であることから親注文であることを示しており、注文ＩＤが「Ａ０００２」の注文はその発注順序情報が「２」であることから子注文であることを示しており、注文ＩＤが「Ａ０００３」の注文はその発注順序情報が「２」であることから子注文であることを示している。
【００５３】
図４は、サーバ１０の処理動作の一例を示すフローチャートである。図５、図６、図７、図８および図９は、端末２０に表示される注文状況画面を例示する図である。本フローチャートは、端末２０に表示された売買注文の入力用ウェブページにユーザＩＤ「Ｕ００１」で識別される顧客により入力された注文内容情報をサーバ１０が受け取ることにより開始する。なお、記憶手段１００は、本フローチャートのスタート時において、当該顧客からの売買注文の注文内容情報を記憶していないものとする。
【００５４】
端末２０は、当該顧客が売買注文の入力用ウェブページに入力した注文内容情報とユーザＩＤとをサーバ１０に送信し、これをサーバ１０が受信し、サーバ１０の制御手段は、受信した注文内容情報とユーザＩＤに基づいて、注文ＩＤ、ユーザＩＤ、親子情報、注文内容情報、注文状況ＦＬＧ、発注順序情報を記憶手段１００に記憶するようになっている（ステップＳ１００）。例えば端末２０は、親注文の注文内容情報の入力用ウェブページに入力された注文内容情報を送信する場合に、ユーザＩＤと、親子情報「ＮＵＬＬ」と、親注文の注文内容情報と、注文状況フラグ「０」と、発注順序情報「１」とをサーバ１０に送信する構成とし、親注文に係る子注文の入力用ウェブページに入力された注文内容情報を送信する場合に、ユーザＩＤと、当該親注文の注文ＩＤからなる親子情報と、子注文の注文内容情報と、注文状況フラグ「９」と、発注順序情報「２」とをサーバ１０に送信する構成としてもよく、この親注文に係る子注文の注文内容情報の入力用ウェブページは親注文の注文内容情報に対応付けて注文状況画面に表示された連続ボタンを操作することで表示されるようにしてもよく、制御手段にカウンタを備えて入力用ウェブページからの売買注文の注文内容情報を受信毎にカウンタをカウントアップしてカウント値を当該売買注文の注文ＩＤとして用いる構成としてもよい。記憶手段１００は、例えば、図３に示すように、親注文として、注文ＩＤ「Ａ０００１」、ユーザＩＤ「Ｕ００１」、親子情報「ＮＵＬＬ」、注文内容情報「○○○○」、注文状況ＦＬＧ「０」および発注順序情報「１」を対応付けて記憶し、当該親注文に係る１つ目の子注文として、注文ＩＤ「Ａ０００２」、ユーザＩＤ「Ｕ００１」、親子情報「Ａ０００１」、注文内容情報「○○△△」、注文状況ＦＬＧ「９」および発注順序情報「２」を対応付けて記憶し、当該親注文に係る２つ目の子注文として、注文ＩＤ「Ａ０００３」、ユーザＩＤ「Ｕ００１」、親子情報「Ａ０００１」、注文内容情報「□□○○」、注文状況ＦＬＧ「９」および発注順序情報「２」を対応付けて記憶する（同ステップ）。制御手段は、親注文の注文ＩＤ、ユーザＩＤ、親子情報「ＮＵＬＬ」、注文内容情報、注文状況ＦＬＧ「０」および発注順序情報「１」を記憶手段１００に記憶すると、当該親注文の注文ＩＤとユーザＩＤを含む親注文発注指示を発注手段１１０に送って当該親注文の発注処理を発注手段１１０に行わせるようにしてもよく、親注文と子注文の注文内容情報を記憶手段１００に記憶した後に当該親注文の注文ＩＤとユーザＩＤを含む親注文発注指示を発注手段１１０に送って当該親注文の発注処理を発注手段１１０に行わせるようにしてもよく、親注文の注文内容情報が記憶手段１００に記憶された後に親注文発注指示を出すか親注文及び子注文の注文内容情報が記憶手段１００に記憶された後に親注文発注指示を出すか顧客が端末２０から選択できるようにしてもよい。
なお、以下のステップにおいて、図３に示す注文ＩＤ「Ａ０００１」により識別される親注文、並びに、注文ＩＤ「Ａ０００２」および「Ａ０００３」により識別される子注文の情報が記憶手段１００に記憶されたものとして説明する。
【００５５】
制御手段は、顧客からの注文に係る情報を記憶手段１００に記憶すると当該注文の注文ＩＤを含む注文状況画面の更新指示（画面更新指示）を注文情報提供手段１６０に送る。注文ＩＤを含む画面更新指示を受けた注文情報提供手段１６０は、当該注文ＩＤに対応付けて記憶手段１００に記憶されたユーザＩＤ、親子情報、注文内容情報、注文状況ＦＬＧおよび発注順序情報を取得し、注文ＩＤ、ユーザＩＤ、親子情報、注文内容情報、注文状況ＦＬＧおよび発注順序情報を端末２０に送信し、これらの情報により端末２０の表示画面に表示を行う。具体的には、注文情報提供手段１６０は、図５に示す、階層、状況、銘柄、売買区分、数量、注文値段および操作ボタンを表示するための表示欄を有する注文状況画面を端末２０に表示し、ユーザＩＤについては注文状況画面の左上側に下線付きで表示し、記憶手段１００で注文ＩＤに対応付けられた発注順序情報については階層用表示欄の対応階層に「→」を表示し、当該注文ＩＤに対応付けられた注文状況ＦＬＧについては状況用表示欄に対応状況を表示し、当該注文ＩＤに対応付けられた注文内容情報の注文の銘柄識別情報については銘柄用表示欄に表示し、当該注文ＩＤに対応付けられた注文内容情報の注文の売買区分については売買区分用表示欄に表示し、当該注文ＩＤに対応付けられた注文内容情報の注文の数量については数量用表示欄に表示し、当該注文ＩＤに対応付けられた注文内容情報の注文の注文値段については注文値段用表示欄に表示するようになっている。
【００５６】
例えば、注文情報提供手段１６０は端末２０の注文状況画面において、発注順序情報が「１」である場合は階層用表示欄の「１」に対応する表示欄に「→」を表示し、発注順序情報が「２」である場合は階層用表示欄の「２」に対応する表示欄に「→」を表示する。また、注文状況ＦＬＧが「０」である場合は親注文が未発注の状況であることを示す「未発注」を状況用表示欄に表示し、注文状況ＦＬＧが「１」又は「５」である場合は顧客からの強制発注指示により発注された子注文が注文中の状況であることを示す「注文中」を状況用表示欄に表示し、注文状況ＦＬＧが「２」である場合は連続注文により子注文が注文中の状況であることを示す「連続中」を状況用表示欄に表示し、注文状況ＦＬＧが「３」である場合は注文が約定成立した状況であることを示す「約定」を状況用表示欄に表示し、注文状況ＦＬＧが「４」である場合は親注文が注文中の状況であることを示す「注文中」を状況用表示欄に表示し、注文状況ＦＬＧが「９」である場合は子注文が未発注の状態であることを示す「予約」を状況用表示欄に表示する。このように子注文が注文中の状況であっても、顧客からの強制発注指示により発注された子注文が注文中の状況である場合には「注文中」を状況用表示欄に表示し、親注文の約定成立により発注処理された子注文が注文中の状況である場合には「連続中」を状況用表示欄に表示することで、顧客指示に係る強制発注により子注文が注文中であるのか連続注文により子注文が注文中であるのか子注文の詳細な状況を顧客に判り易く提示することができるようになっている。
【００５７】
図５に示す例において、注文情報提供手段１６０は、ステップＳ１００において記憶手段１００に記憶された注文ＩＤ「Ａ０００１」に対応付けられたユーザＩＤ「Ｕ００１」、親子情報「ＮＵＬＬ」、注文内容情報「○○○○」、注文状況ＦＬＧ「０」および発注順序情報「１」に基づき、第１の階層用表示欄「→」、第２の階層用表示欄「  」、状況用表示欄「未発注」、銘柄用表示欄「×××１  ○○」、売買区分用表示欄「買付」、数量用表示欄「５０００株」および注文値段用表示欄「７５１円」を、ユーザＩＤ「Ｕ００１」の顧客の端末２０で注文状況画面に表示する。なお、注文ＩＤ「Ａ０００１」の注文内容情報「○○○○」として、銘柄識別情報「×××１  ○○」、売買区分「買付」、数量「５０００株」および注文値段「７５１円」が記憶手段１００に記憶されているものとする。
同様に注文情報提供手段１６０は、ステップＳ１００において記憶手段１００に記憶された注文ＩＤ「Ａ０００２」に対応付けられたユーザＩＤ「Ｕ００１」、親子情報「Ａ０００１」、注文内容情報「○○△△」、注文状況ＦＬＧ「９」および発注順序情報「２」に基づき、第１の階層用表示欄「  」、第２の階層用表示欄「→」、状況用表示欄「予約」、銘柄用表示欄「×××２  △△」、売買区分用表示欄「買付」、数量用表示欄「２０００株」および注文値段用表示欄「成行」を、ユーザＩＤ「Ｕ００１」の顧客の端末２０で注文状況画面に注文ＩＤ「Ａ０００１」の親注文の子注文として当該親注文の表示欄の下側に位置する表示欄であって当該親注文の表示欄に隣接する表示欄に表示する。なお、注文ＩＤ「Ａ０００２」の注文内容情報「○○△△」として、銘柄識別情報「×××２  △△」、売買区分「買付」、数量「２０００株」および注文値段「成行」が記憶手段１００に記憶されているものとする。
同様に注文情報提供手段１６０は、ステップＳ１００において記憶手段１００に記憶された注文ＩＤ「Ａ０００３」に対応付けられたユーザＩＤ「Ｕ００１」、親子情報「Ａ０００１」、注文内容情報「□□○○」、注文状況ＦＬＧ「９」および発注順序情報「２」に基づき、第１の階層用表示欄「  」、第２の階層用表示欄「→」、状況用表示欄「予約」、銘柄用表示欄「×××１  ○○」、売買区分用表示欄「売付」、数量用表示欄「２０００株」および注文値段用表示欄「８００円」を、ユーザＩＤ「Ｕ００１」の顧客の端末で注文状況画面に注文ＩＤ「Ａ０００１」の親注文の子注文として当該親注文の表示欄の下側に位置する表示欄に表示する。例えば、親子情報「Ａ０００１」に基づいて注文ＩＤ「Ａ０００１」の親注文の表示欄の下側に位置する表示欄を用い、注文ＩＤ「Ａ０００１」の親注文に係る子注文が複数ある場合は当該複数の子注文の注文ＩＤが「Ａ０００１」に近い注文ＩＤの子注文から順に親注文の表示欄に近い表示欄に注文状況の表示を行うようにしてもよく、注文ＩＤの低いものから順に注文状況画面の上側の表示欄に表示するようにしてもよい。なお、注文ＩＤ「Ａ０００３」の注文内容情報「□□○○」として、銘柄識別情報「×××１  ○○」、売買区分「売付」、数量「２０００株」および注文値段「８００円」が記憶手段１００に記憶されているものとする。
【００５８】
また、注文情報提供手段１６０は、図５に示すように、注文ＩＤ「Ａ０００１」に対応付けて記憶手段１００に記憶された親注文の注文状況ＦＬＧが「０」又は「４」（即ち親注文が未発注又は注文中である状況）であって親子情報が「Ａ０００１」であり発注順序情報が「２」である当該親注文に係る子注文「Ａ０００２」，「Ａ０００３」の何れかの注文状況ＦＬＧが「９」（即ち未発注の子注文がある状況）であることに基づき、注文ＩＤ「Ａ０００１」により識別される親注文の操作用表示欄に「一括強制発注」ボタン（一括強制発注用ボタン）を表示する。さらに、注文ＩＤ「Ａ０００２」に対応付けて記憶手段１００に記憶された子注文の注文状況ＦＬＧが「９」（即ち当該子注文が未発注である状況）であることに基づき、当該注文ＩＤ「Ａ０００２」により識別される子注文の操作用表示欄に「強制発注」ボタン（個別強制発注用ボタン）を表示するとともに、注文ＩＤ「Ａ０００３」に対応付けて記憶手段１００に記憶された子注文の注文状況ＦＬＧが「９」（即ち当該子注文が未発注である状況）であることに基づき、当該注文ＩＤ「Ａ０００３」により識別される子注文の操作用表示欄に「強制発注」ボタン（個別強制発注用ボタン）を表示するようにしてもよい。また、注文ＩＤ「Ａ０００１」に対応付けて記憶手段１００に記憶された親注文の注文状況ＦＬＧが「０」又は「４」（即ち親注文が未発注又は注文中である状況）であることに基づき、当該注文ＩＤ「Ａ０００１」により識別される親注文の操作用表示欄に「連続」ボタンを表示し、この連続ボタンを操作することにより子注文の入力画面を表示する入力用ウェブページに遷移して顧客は子注文の注文内容情報を入力することで当該親注文に係る子注文の追加を行うことができるようになっている。
【００５９】
発注手段１１０は、記憶手段１００に記憶されている注文ＩＤ「Ａ０００１」と親注文内容情報「○○○○」とを含む注文入力電文を証券取引所のコンピュータ３０に送信することにより、注文ＩＤ「Ａ０００１」により識別される親注文の発注処理を行う（ステップＳ１１０）。注文入力電文に含まれる注文内容情報は、当該注文の銘柄コード、売買区分、数量及び注文値段を示す情報を含むようになっている。続いて、発注手段１１０は、注文ＩＤ「Ａ０００１」に対応付けて記憶手段１００に記憶されている注文状況フラグを「未発注」を示す情報「０」から「注文中」を示す情報「４」に更新する（同ステップ）。そして、発注手段１１０は親注文の注文ＩＤ「Ａ０００１」と当該注文ＩＤに記憶手段１００で対応付けられたユーザＩＤ「Ｕ００１」とを含む親注文発注終了情報を制御手段に送り、制御手段は親注文の注文ＩＤ「Ａ０００１」を含む画面更新指示を注文情報提供手段１６０に送る。続いて注文情報提供手段１６０は、端末２０に表示する注文状況画面を更新する。具体的には、注文情報提供手段１６０は、親注文の注文ＩＤ「Ａ０００１」に対応付けて記憶手段１００に記憶されたユーザＩＤ「Ｕ００１」及び注文状況フラグ「４」等を参照して、ユーザＩＤ「Ｕ００１」の顧客の端末２０において、図６に示すように、注文ＩＤ「Ａ０００１」により識別される親注文の状況用表示欄を「未発注」の表示から「注文中」の表示に更新する。
【００６０】
次に制御手段は、ステップＳ１１０で発注処理された親注文についての約定成立通知であって当該親注文の注文ＩＤ「Ａ０００１」と当該親注文の売買注文の注文残数量「０」とを含む約定成立通知を証券取引所のコンピュータ３０から約定成立通知受信手段１２０が受信したか否かを判断する（ステップＳ１２０）。
【００６１】
ここで、ステップＳ１１０で発注処理された親注文が証券取引所のコンピュータ３０において約定した場合には、約定成立通知受信手段１２０は、当該約定が成立したことを示す約定成立通知であって当該親注文の注文ＩＤ「Ａ０００１」と当該親注文の売買注文の注文残数量とを含む約定成立通知を証券取引所のコンピュータ３０から受信し、当該約定成立通知に含まれる注文残数量が０であるとき、当該約定成立通知に含まれる親注文の注文ＩＤ「Ａ０００１」に対応付けて記憶手段１００に記憶されている注文状況フラグを「注文中」を示す情報「４」から「約定成立」を示す情報「３」に更新する。そして、約定成立通知受信手段１２０は、当該親注文の注文ＩＤ「Ａ０００１」を含む約定成立通知受信情報を制御手段に送り、制御手段は注文ＩＤ「Ａ０００１」を含む画面更新指示を注文情報提供手段１６０に送るとともに、注文ＩＤ「Ａ０００１」を含む連続発注指示を関連発注手段１３０に送る。続いて注文情報提供手段１６０は、端末２０に表示する注文状況画面を更新する。具体的には、注文情報提供手段１６０は、注文ＩＤ「Ａ０００１」に対応付けて記憶手段１００に記憶されたユーザＩＤ「Ｕ００１」及び注文状況フラグ「３」等を参照して、ユーザＩＤ「Ｕ００１」の顧客の端末２０において、注文ＩＤ「Ａ０００１」により識別される親注文の状況用表示欄を「注文中」の表示から「約定」の表示に更新し、また、注文ＩＤ「Ａ０００１」により識別される親注文の操作用表示欄に表示されていた「一括強制発注」ボタンと「連続」ボタンを消去し、「連続」ボタンからの子注文の追加入力ができないようにする。すなわち、親注文が約定してしまったのであるから、親注文の操作用表示欄の「連続」ボタンを消去することで、当該親注文の約定により発注する子注文の追加設定をできないようにするものである。なお、注文情報提供手段１６０は、注文ＩＤ「Ａ０００１」に対応付けて記憶手段１００に記憶されたユーザＩＤ「Ｕ００１」、注文状況フラグ「３」、発注順序情報「１」等を参照して、ユーザＩＤ「Ｕ００１」の顧客の端末２０の注文状況画面について、発注順序情報「１」が示す発注順序１に次ぐ順序２を示す発注順序情報「２」及び親子情報「Ａ０００１」に対応付けられた子注文ＩＤ「Ａ０００２」，「Ａ０００３」を検出し、当該子注文ＩＤ「Ａ０００２」，「Ａ０００３」により識別される子注文の操作用表示欄にそれぞれ表示されていた「強制発注」ボタンを消去するようにしてもよい。ステップＳ１２０において、制御手段は、親注文の約定成立通知を約定成立通知受信手段１２０が受信したか否かを、例えば約定成立通知受信手段１２０からの約定成立通知受信情報に含まれる注文ＩＤと親注文発注指示又は親注文発注終了情報に含まれる親注文ＩＤ「Ａ０００１」とが一致するか否かに基づいて判断するようにしてもよい。
【００６２】
ステップＳ１２０において、制御手段はステップＳ１１０で発注処理された親注文についての約定成立通知であって当該親注文の注文ＩＤ「Ａ０００１」と当該親注文の売買注文の注文残数量「０」とを含む約定成立通知を約定成立通知受信手段１２０が受信していないと判断した場合に（ステップＳ１２０：Ｎｏ）、例えば約定成立通知受信手段１２０から注文ＩＤ「Ａ０００１」を含む約定成立通知受信情報を受け取っていないことによりそのように判断した場合に、制御手段は、ユーザＩＤ「Ｕ００１」の顧客から注文ＩＤ「Ａ０００１」により識別される親注文に係る子注文の一括発注指示を一括強制発注受付手段１４４が受け付けたか否かを判断する（ステップＳ１３０）。なお、一括強制発注受付手段１４４は、顧客の端末２０から子注文の一括発注指示とユーザＩＤを受けた場合に、当該一括発注指示とユーザＩＤを制御手段に送り、制御手段は一括強制発注受付手段１４４からの一括発注指示により、例えば当該一括発注指示に含まれる親注文の注文ＩＤとユーザＩＤが親注文発注指示又は親注文発注終了情報に含まれる注文ＩＤ「Ａ０００１」とユーザＩＤ「Ｕ００１」に一致するか否かに基づき、顧客から注文ＩＤ「Ａ０００１」により識別される親注文に係る子注文の一括発注指示を一括強制発注受付手段１４４が受け付けたか否かを判断するようにしてもよい。
【００６３】
ステップＳ１３０において、制御手段は、ユーザＩＤ「Ｕ００１」の顧客から注文ＩＤ「Ａ０００１」により識別される親注文に係る子注文の一括発注指示を一括強制発注受付手段１４４が受け付けたと判断した場合に（ステップＳ１３０：Ｙｅｓ）、親注文の注文ＩＤ「Ａ０００１」及びユーザＩＤ「Ｕ００１」を含む一括発注指示を一括強制発注手段１５４に送り、一括強制発注手段１５４は当該親注文に係る子注文の一括発注処理を行う（ステップＳ１４０）。なお、端末２０において、注文状況画面の「一括強制発注」ボタンには親注文の注文ＩＤが対応付けられており、「一括強制発注」ボタンが操作されることで親注文ＩＤ「Ａ０００１」を含む一括発注指示とユーザＩＤ「Ｕ００１」が送信されるようになっており、一括強制発注受付手段１４４は、顧客が操作した当該ボタンに対応付けられている注文ＩＤ「Ａ０００１」を含む一括発注指示とユーザＩＤ「Ｕ００１」を端末２０から取得して制御手段と一括強制発注手段１５４に送るようにしてもよい。次に、一括強制発注手段１５４は、記憶手段１００を参照し、当該一括発注指示に含まれる注文ＩＤ「Ａ０００１」の発注順序情報「１」が示す発注順序１に次ぐ発注順序２を示す発注順序情報「２」、親子情報「Ａ０００１」及びユーザＩＤ「Ｕ００１」に対応する子注文ＩＤであって、注文状況フラグが「未発注」（即ち「予約」）を示す「９」であるものを検索する。これによって、例えば、注文ＩＤ「Ａ０００２」および「Ａ０００３」が検出された場合に、一括強制発注手段１５４は、注文ＩＤ「Ａ０００２」に対応付けて記憶手段１００に記憶されている注文内容情報および当該注文ＩＤ「Ａ０００２」を含む注文入力電文と、注文ＩＤ「Ａ０００３」に対応付けて記憶手段１００に記憶されている注文内容情報および当該注文ＩＤ「Ａ０００３」を含む注文入力電文を作成し、これらの注文入力電文を証券取引所のコンピュータ３０に送信することにより、顧客から一括発注指示を受けた子注文の発注処理を行う。
続いて、一括強制発注手段１５４は、注文ＩＤ「Ａ０００２」に対応付けて記憶手段１００に記憶されている注文状況フラグと注文ＩＤ「Ａ０００３」に対応付けて記憶手段１００に記憶されている注文状況フラグとを「未発注」（即ち「予約」）を示す情報「９」から一括強制発注による「注文中」を示す情報「１」に更新する。そして、一括強制発注手段１５４は、子注文の注文ＩＤ「Ａ０００２」，「Ａ０００３」及びユーザＩＤ「Ｕ００１」を含む一括発注終了情報を制御手段に送り、制御手段は注文ＩＤ「Ａ０００２」，「Ａ０００３」を含む画面更新指示を注文情報提供手段１６０に送る。続いて注文情報提供手段１６０は、端末２０に表示する注文状況画面を更新する。具体的には、図９に示すように、注文情報提供手段１６０は、注文ＩＤ「Ａ０００２」に対応付けて記憶手段１００に記憶されたユーザＩＤ「Ｕ００１」及び注文状況フラグ「１」等を参照して、ユーザＩＤ「Ｕ００１」の顧客の端末２０において、注文ＩＤ「Ａ０００２」により識別される子注文の状況用表示欄を「予約」の表示から「注文中」の表示に更新し、また、注文ＩＤ「Ａ０００２」により識別される子注文の操作用表示欄に表示されていた「強制発注」ボタンを消去するとともに、注文ＩＤ「Ａ０００３」に対応付けて記憶手段１００に記憶されたユーザＩＤ「Ｕ００１」及び注文状況フラグ「１」等を参照して、ユーザＩＤ「Ｕ００１」の顧客の端末２０において、注文ＩＤ「Ａ０００３」により識別される子注文の状況用表示欄を「予約」の表示から「注文中」の表示に更新し、また、注文ＩＤ「Ａ０００３」により識別される子注文の操作用表示欄に表示されていた「強制発注」ボタンを消去する。制御手段は、注文ＩＤ「Ａ０００２」，「Ａ０００３」を含む画面更新指示を注文情報提供手段１６０に送るとステップＳ１２０の処理に戻る構成としてもよく、好ましくは注文ＩＤ「Ａ０００２」，「Ａ０００３」を含む画面更新指示を注文情報提供手段１６０に送ったことに対する注文情報提供手段１６０からの画面更新終了情報を受けると、ステップＳ１２０の処理に戻る構成とする。
【００６４】
一方、ステップＳ１３０において、制御手段は、ユーザＩＤ「Ｕ００１」の顧客から注文ＩＤ「Ａ０００１」により識別される親注文に係る子注文の一括発注指示を一括強制発注受付手段１４４が受け付けていないと判断した場合には（ステップＳ１３０：Ｎｏ）、制御手段は、ユーザＩＤ「Ｕ００１」の顧客から子注文ＩＤを含む子注文の個別発注指示を個別強制発注受付手段１４２が受け付けたか否かを判断する（ステップＳ１５０）。なお、個別強制発注受付手段１４２は、顧客の端末２０から送信された顧客からの子注文の一括発注指示とユーザＩＤを受け付けた場合に、当該個別発注指示とユーザＩＤを制御手段に送り、制御手段は個別強制発注受付手段１４２からの個別発注指示により、例えば当該個別発注指示に含まれる親子情報とユーザＩＤが親注文発注指示又は親注文発注終了情報に含まれる注文ＩＤ「Ａ０００１」とユーザＩＤ「Ｕ００１」に一致するか否かに基づき、ユーザＩＤ「Ｕ００１」の顧客から注文ＩＤ「Ａ０００１」により識別される親注文に係る子注文の個別発注指示を個別強制発注受付手段１４２が受け付けたか否かを判断するようにしてもよい。
【００６５】
ステップＳ１５０において、制御手段は、ユーザＩＤ「Ｕ００１」の顧客から子注文ＩＤを含む子注文の個別発注指示を個別強制発注受付手段１４２が受け付けたと判断した場合に（ステップＳ１５０：Ｙｅｓ）、子注文の個別発注指示とユーザＩＤを個別強制発注手段１５２に送り、個別強制発注手段１５２は当該子注文の個別発注処理を行う（ステップＳ１６０）。なお、端末２０において、「強制発注」ボタンにはそれぞれ子注文ＩＤと親子情報（当該子注文ＩＤに対応付けて記憶手段１００に記憶されている親子情報）が対応付けられており、当該ボタンの操作により対応する子注文ＩＤ及び親子情報を含む個別発注指示とユーザＩＤ「Ｕ００１」が送信されるようになっており、個別強制発注受付手段１４２は、顧客が操作した当該ボタンに対応付けられている注文ＩＤ及び親子情報、例えば注文ＩＤ「Ａ０００２」及び親子情報「Ａ０００１」を含む個別発注指示とユーザＩＤ「Ｕ００１」を取得して制御手段と個別強制発注手段１５２に送るようにしてもよい。次に、個別強制発注手段１５２は、個別発注指示に含まれる当該注文ＩＤ「Ａ０００２」及びユーザＩＤ「Ｕ００１」に対応付けて記憶手段１００に記憶されている注文内容情報を取得し、この注文内容情報および注文ＩＤ「Ａ０００２」を含む注文入力電文を作成し、証券取引所のコンピュータ３０に送信することにより、当該子注文の発注処理を行う。
続いて、個別強制発注手段１５２は、注文ＩＤ「Ａ０００２」に対応付けて記憶手段１００に記憶されている注文状況フラグを「未発注」（即ち「予約」）を示す情報「９」から個別強制発注による「注文中」を示す情報「５」に更新する。そして、個別強制発注手段１５２は、子注文の注文ＩＤ「Ａ０００２」とユーザＩＤを含む個別発注終了情報を制御手段に送り、制御手段は注文ＩＤ「Ａ０００２」を含む画面更新指示を注文情報提供手段１６０に送る。続いて注文情報提供手段１６０は、端末２０に表示する注文状況画面を更新する。具体的には、図７に示すように、注文情報提供手段１６０は、注文ＩＤ「Ａ０００２」に対応付けて記憶手段１００に記憶されたユーザＩＤ「Ｕ００１」及び注文状況フラグ「５」等を参照して、ユーザＩＤ「Ｕ００１」の顧客の端末２０において、注文ＩＤ「Ａ０００２」により識別される子注文の状況用表示欄を「予約」の表示から「注文中」の表示に更新し、また、操作用表示欄に表示されていた「強制発注」ボタンを消去する。制御手段は、注文ＩＤ「Ａ０００２」を含む画面更新指示を注文情報提供手段１６０に送るとステップＳ１２０の処理に戻る構成としてもよく、好ましくは注文ＩＤ「Ａ０００２」を含む画面更新指示を注文情報提供手段１６０に送ったことに対する注文情報提供手段１６０からの画面更新終了情報を受けると、ステップＳ１２０の処理に戻る構成とする。一方、ステップＳ１５０において、制御手段はユーザＩＤ「Ｕ００１」の顧客から注文ＩＤを含む子注文の個別発注指示を個別強制発注受付手段１４２が受け付けていないと判断した場合には（ステップＳ１５０：Ｎｏ）、ステップＳ１２０に戻る。
なお、ステップＳ１２０〜Ｓ１６０の繰り返し処理において、一括強制発注に係る処理ステップＳ１３０，Ｓ１４０を個別強制発注に係る処理ステップＳ１５０，Ｓ１６０よりも先に配置してステップＳ１３０を経てステップＳ１４０の処理後にステップＳ１２０に戻る構成とし、すなわちステップＳ１４０で子注文の一括強制発注が行われたときは個別強制発注すべき子注文がないことから個別強制発注に係る処理ステップを飛ばしてステップＳ１２０に戻る構成とすることで、繰り返し処理を早く実行して子注文の発注タイミングを早めることができるようになっている。
【００６６】
ステップＳ１２０において、制御手段は、ステップＳ１１０で発注処理された親注文についての約定成立通知であって当該親注文の注文ＩＤ「Ａ０００１」と当該親注文の売買注文の注文残数量「０」とを含む約定成立通知が約定成立通知受信手段１２０で受信されたと判断した場合に（ステップＳ１２０：Ｙｅｓ）、例えば約定成立通知受信手段１２０から受け取った約定成立通知受信情報に含まれる注文ＩＤと親注文発注指示又は親注文発注終了情報に含まれる注文ＩＤ「Ａ０００１」とが一致することに基づいてそのように判断した場合に、親注文の注文ＩＤ「Ａ０００１」を含む画面更新指示を注文情報提供手段１６０に送るとともに、親注文の注文ＩＤ「Ａ０００１」を含む連続発注指示を関連発注手段１３０に送る。なお、約定成立通知受信手段１２０は、約定成立通知受信情報を制御手段と関連発注手段１３０に送るようにしてもよい。続いて関連発注手段１３０は、制御手段からの連続発注指示又は約定成立通知受信手段１２０からの約定成立通知受信情報に含まれる注文ＩＤ「Ａ０００１」に対して記憶手段１００で対応付けされた発注順序情報「１」を検出し、発注順序情報「１」が示す発注順序１に次ぐ順序２を示す発注順序情報「２」及び親子情報「Ａ０００１」に対応付けて記憶手段１００に記憶されている子注文状況フラグの中に「未発注」（即ち「予約」）の状況を示す「９」のものがあるか否かを判断する（ステップＳ１７０）。関連発注手段１３０は、発注順序情報「２」及び親子情報「Ａ０００１」に対応付けて記憶手段１００に記憶されている注文状況フラグの中に「未発注」の状況を示す「９」のものがないと判断した場合（ステップＳ１７０：Ｎｏ）、連続発注すべき子注文が無い旨を示す情報を制御手段に送る。
【００６７】
ステップＳ１７０において、関連発注手段１３０は、発注順序情報「２」及び親子情報「Ａ０００１」に対応付けて記憶手段１００に記憶されている注文状況フラグの中に「未発注」の状況を示す「９」のものがあると判断した場合（ステップＳ１７０：Ｙｅｓ）、例えば注文ＩＤ「Ａ０００３」に対応付けられた注文状況フラグが「９」である場合、関連発注手段１３０は、当該子注文の注文ＩＤ「Ａ０００３」および当該注文ＩＤ「Ａ０００３」に対応付けて記憶手段１００に記憶されている注文内容情報を含む注文入力電文を作成し、証券取引所のコンピュータ３０に送信することにより、顧客により予め定められた子注文の発注処理を行う（ステップＳ１８０）。これにより連続発注が行われる。続いて、関連発注手段１３０は、注文ＩＤ「Ａ０００３」に対応付けて記憶手段１００に記憶されている注文状況フラグを「未発注」（即ち「予約」）を示す情報「９」から連続発注により「注文中」（即ち「連続中」）の状況であることを示す情報「２」に更新する。そして、関連発注手段１３０は、子注文の注文ＩＤ「Ａ０００３」を含む連続発注終了情報を制御手段に送り、制御手段は注文ＩＤ「Ａ０００３」を含む画面更新指示を注文情報提供手段１６０に送る。続いて注文情報提供手段１６０は、端末２０に表示する注文状況画面を更新する。具体的には、図８に示すように、注文情報提供手段１６０は、注文ＩＤ「Ａ０００３」に対応付けて記憶手段１００に記憶されたユーザＩＤ「Ｕ００１」及び注文状況フラグ「２」等を参照して、ユーザＩＤ「Ｕ００１」の顧客の端末２０において、注文ＩＤ「Ａ０００３」により識別される子注文の状況用表示欄を「予約」の表示から「連続中」の表示に更新し、また、注文ＩＤ「Ａ０００３」により識別される子注文の操作用表示欄に表示されていた「強制発注」ボタンを消去して非表示とする。なお、ステップＳ１２０で制御手段が親注文ＩＤ「Ａ０００１」を含む画面更新指示を注文情報提供手段１６０に送り、注文情報提供手段１６０は、注文ＩＤ「Ａ０００１」に対応付けて記憶手段１００に記憶されたユーザＩＤ「Ｕ００１」、注文状況フラグ「３」、発注順序情報「１」等を参照して、ユーザＩＤ「Ｕ００１」の顧客の端末２０の注文状況画面について、発注順序情報「１」が示す発注順序１に次ぐ順序２を示す発注順序情報「２」及び親子情報「Ａ０００１」に対応付けられた子注文ＩＤであって注文状況フラグが「未発注」（即ち「予約」）の状態を示す情報「９」であるものを検出し、検出した当該子注文ＩＤにより識別される子注文の操作用表示欄にそれぞれ表示されていた「強制発注」ボタンを消去する構成とし、又は発注順序情報「１」が示す発注順序１に次ぐ順序２を示す発注順序情報「２」及び親子情報「Ａ０００１」に対応付けられた各子注文ＩＤを検出し、検出した当該各子注文ＩＤにより識別される各子注文の操作用表示欄の「強制発注」ボタンの表示領域に空白（空白文字）を上書表示して「強制発注」ボタンを消去する構成とし、ステップＳ１８０で注文状況提供手段１６０が注文ＩＤ「Ａ０００３」により識別される子注文の操作用表示欄における「強制発注」ボタンを消去する処理を不要としてもよい。
【００６８】
上記実施形態の金融商品売買発注装置によれば、親注文の約定成立前であっても、親注文の次に発注すべきものとして顧客により予め決められていた子注文の発注処理を行う強制発注機能を設けることができる。
【００６９】
以上、本発明を実施の形態を用いて説明したが、例えば注文情報提供手段１６０を強制発注受付手段１４０に含める構成としてもよく、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７０】
【図１】サーバ１０を含むシステム概要の一例を示す概要図である。
【図２】サーバ１０のブロック構成の一例を示すブロック図である。
【図３】記憶手段１００に記憶される情報の一例を示す説明図である。
【図４】サーバ１０の処理動作の一例を示すフローチャートである。
【図５】端末２０に表示される注文状況画面の第１の例を示す図である。
【図６】端末２０に表示される注文状況画面の第２の例を示す図である。
【図７】端末２０に表示される注文状況画面の第３の例を示す図である。
【図８】端末２０に表示される注文状況画面の第４の例を示す図である。
【図９】端末２０に表示される注文状況画面の第５の例を示す図である。
【符号の説明】
【００７１】
１０  サーバ
２０  端末
３０  コンピュータ
４０，４２  ネットワーク
５０  記憶媒体
１００  記憶手段
１１０  発注手段
１２０  約定成立通知受信手段
１３０  関連発注手段
１４０  強制発注受付手段
１４２  個別強制発注受付手段
１４４  一括強制発注受付手段
１５０  強制発注手段
１５２  個別強制発注手段
１５４  一括強制発注手段
１６０  注文情報提供手段
【図１】
2007226342.tif 000003
【図２】
2007226342.tif 000004
【図３】
2007226342.tif 000005
【図４】
2007226342.tif 000006
【図５】
2007226342.tif 000007
【図６】
2007226342.tif 000008
【図７】
2007226342.tif 000009
【図８】
2007226342.tif 000010
【図９】
2007226342.tif 000011